(57)【要約】【課題】本件発明の課題は、フランジバックの短いデジタルスチルカメラ等に好適で、全体的に小型で、最終レンズ群の径小化が容易であり、且つ高性能なズームレンズ及び当該ズームレンズ有する撮像装置を提供することにある。【解決手段】上記課題を解決するため、本件発明に係るズームレンズは、物体側から順に、少なくとも３つのレンズ群を有し全体で正の屈折力を有する前群（Ｇ１〜Ｇ６）と前群の像側に配置されるレンズ群ＧＢ（Ｇ７）とから構成され、隣り合うレンズ群の光軸上の間隔を変化させることで変倍し、レンズ群ＧＢは、像側から順にレンズ成分Ｎｂ（Ｌ１９）、レンズ成分Ｎｆ（Ｌ１８）、レンズ成分Ｐ（Ｌ１７）を有し、広角端から望遠端への変倍時にレンズ群ＧＢは物体側へ移動し、前群の一部のレンズ群（Ｇ６）を光軸に沿って移動させることでフォーカシングを行い、所定の条件式を満足させる。【選択図】図１
2020134684.tif 000002
【特許請求の範囲】
【請求項１】
物体側から順に、全体で正の屈折力を有する前群と、前記前群の像側に配置されるレンズ群ＧＢとから構成され、隣り合うレンズ群の光軸上の間隔を変化させることで変倍するズームレンズであって、
前記前群は少なくとも３つのレンズ群を有し、
前記レンズ群ＧＢは、像側から順に、負のレンズ成分Ｎｂと、負のレンズ成分Ｎｆと、正のレンズ成分Ｐとを有し、
前記負のレンズ成分Ｎｂの物体側面は凹面であり、
広角端から望遠端へのズーミングに際し、前記レンズ群ＧＢは物体側へ移動し、
前記前群を構成するレンズ群のうち、一部のレンズ群を光軸に沿って移動させることでフォーカシングを行い、
以下の条件式を満足することを特徴とするズームレンズ。
（１）  −０．７  ≦  （ＲＮｆ＋ＲＮｂ）／（ＲＮｆ−ＲＮｂ）  ≦  ２．０
但し、
ＲＮｆ：前記負のレンズ成分Ｎｆの最も像側面の曲率半径
ＲＮｂ：前記負のレンズ成分Ｎｂの最も物体側面の曲率半径
【請求項２】
前記前群は、その最も像側に負レンズ群ＧＦを備え、以下の条件式を満足する請求項１に記載のズームレンズ。
（２）  １．１  ≦  βＦＢｔ／βＦＢｗ  ≦  ２．５
但し、
βＦＢｔ：望遠端における前記レンズ群ＧＦ及び前記レンズ群ＧＢの合成横倍率
βＦＢｗ：広角端における前記レンズ群ＧＦ及び前記レンズ群ＧＢの合成横倍率
【請求項３】
以下の条件式を満足する請求項１又は請求項２に記載のズームレンズ。
（３）  ０．３  ≦  ＢＦｗ／Ｙ  ≦  １．５
但し、
ＢＦｗ：広角端における当該ズームレンズのバックフォーカス
Ｙ    ：当該ズームレンズの最大像高
【請求項４】
前記前群を構成するレンズ群のうち、最も物体側に配置されるレンズ群以外のレンズ群を光軸に沿って移動させてフォーカシングを行う請求項１から請求項３のいずれか一項に記載のズームレンズ。
【請求項５】
前記正のレンズ成分Ｐは両凸形状である請求項１から請求項４のいずれか一項に記載のズームレンズ。
【請求項６】
前記負のレンズ成分Ｎｂは像側に凸面を向けた負メニスカス形状である請求項１から請求項５のいずれか一項に記載のズームレンズ。
【請求項７】
前記正のレンズ成分Ｐの像側面と前記負のレンズ成分Ｎｆの物体側面とから形成される空気レンズが両凹形状、または物体側に凹面を向けた負メニスカス形状であることを特徴とする請求項１から６のいずれか一項に記載のズームレンズ。
【請求項８】
以下の条件式を満足する請求項１から請求項７のいずれか一項に記載のズームレンズ。
（４）  ０．５  ≦  ｆＰ／Ｙ  ≦  ２．７
但し、
ｆＰ：前記正のレンズ成分Ｐの焦点距離
Ｙ  ：当該ズームレンズの最大像高
【請求項９】
以下の条件式を満足する請求項１から請求項８のいずれか一項に記載のズームレンズ。
（５）  ０．４  ≦  ｜ｆＮ｜／Ｙ  ≦  ２．７
但し、
ｆＮ：前記負のレンズ成分Ｎｆ及び前記負のレンズ成分Ｎｂの合成焦点距離
Ｙ  ：当該ズームレンズの最大像高
【請求項１０】
以下の条件式を満足する請求項１から請求項９のいずれか一項に記載のズームレンズ。
（６）  ０．２  ≦  ＲＰ／ｆｗ  ≦  ２．５
但し、
ＲＰ：前記正のレンズ成分Ｐの物体側面の曲率半径
ｆｗ：広角端における当該ズームレンズの焦点距離
【請求項１１】
ズーミングに際し、前記前群において最も物体側に配置されるレンズ群が光軸に沿って移動することを特徴とする請求項１から請求項１０のいずれか一項に記載のズームレンズ。
【請求項１２】
前記前群において最も物体側に配置されるレンズ群は正の屈折力を有する請求項１から請求項１１のいずれか一項に記載のズームレンズ。
【請求項１３】
請求項１から請求項１２のいずれか一項に記載のズームレンズと、当該ズームレンズの像面側に当該ズームレンズによって形成された光学像を電気的信号に変換する撮像素子とを備えたことを特徴とする撮像装置。
【発明の詳細な説明】
【技術分野】
【０００１】
本件発明は、ズームレンズ及び撮像装置に関し、特に、デジタルスチルカメラやデジタルビデオカメラ等の固体撮像素子（ＣＣＤやＣＭＯＳ等）を用いた撮像装置に好適なズームレンズ及び撮像装置に関する。
【背景技術】
【０００２】
従来の一眼レフレックスカメラ（以下、「一眼レフカメラ」と称する。）用のズームレンズ等では、レフレックスミラー等の光学式ファインダーに関する光学要素をカメラボディ内に配置するため、焦点距離によらず長いフランジバックを確保する必要性があった。そのため、ズームレンズを構成するレンズ群のうち像側に配置される後方のレンズ群には、正の屈折力を有するレンズ群を配置してバックフォーカスを確保しやすいようなレンズ設計を行い、要求されるフランジバックを確保していた。しかしながら、近年では、撮像装置本体の背面等に設けた液晶画面に表示されるライブビュー画像により撮像を行うミラーレスカメラやデジタルスチルカメラ等（以下、「ミラーレスカメラ等」と称する。）の普及が進んでいる。光学式ファインダーを備えない撮像装置ではカメラボディ内にレフレックスミラー等を配置する必要がない。このような長いフランジバックを必要としない撮像装置に対して、バックフォーカスの短いズームレンズが求められている。
【０００３】
また、従来、撮像素子の撮像面には、入射光を効率的に受光するためのオンチップマイクロレンズ等の集光レンズが各画素毎に設けられている。オンチップマイクロレンズ等の受光角度は所定の範囲内に制限されており、従来、オンチップマイクロレンズ等により入射光を効率的に受光するには、撮像レンズの射出瞳径を一定以上に大きくして、入射光の光軸に対する傾斜角度を小さくし、撮像面に対して光軸に略平行な入射光束が入射するようにすることが行われていた。このようなテレセントリック性を確保するために、従来、ズームレンズの像側部分に正の屈折力を有するレンズ成分を配置することが行われていた。
【０００４】
しかしながら、近年、撮像素子の開口率が向上し、オンチップマイクロレンズ等の受光角度範囲が拡大し、オンチップマイクロレンズ等の光学的性能も向上してきている。そのため、ズームレンズに要求される射出瞳の位置や大きさに関する制約が少なくなり、ズームレンズの像側部分に負の屈折力を有するレンズ成分を配置して撮像面に対して光が斜入射するように構成しても、オンチップマイクロレンズとズームレンズの射出瞳のミスマッチ等による周辺減光(シェーディング)が目立ちにくくなっている。
【０００５】
そこで、近年、ズームレンズの像側部分に負の屈折力を有するレンズ成分を配置して、ズームレンズの小型化を図ることが行われている（例えば、特許文献１〜特許文献３参照）。
【０００６】
特許文献１に記載のズームレンズは、物体側から順に、正・負・正・負・負の屈折力配置を有し、全レンズ群のうち、光学的絞りよりも像側に配置された負レンズ群をフォーカス群とすることで、ズームレンズユニット全体の小型化が図られている。
【０００７】
しかしながら、特許文献１に記載の実施例１、２、４、５のズームレンズでは、最終レンズ群に負の屈折力を配置し、光学全長の短縮を図っているものの、最終レンズ群の最も像側に正の屈折力を有するレンズ成分を配置しているため、最終レンズ群の径小化が困難である。そのため、フランジバックの短い撮像装置用のズームレンズであって、光学全長の短縮を要求される場合、最終レンズ群の径大化が顕著になり、径方向の小型化が困難である。
【０００８】
また、特許文献１に記載の実施例３、６、７、８、９のズームレンズについても、最終レンズ群の最も像側に負の屈折力を有するレンズ成分を配置しているが、広角端から望遠端へのズーミングに際し、最終レンズ群を像面に対して固定している。そのため、最終レンズ群は望遠側において有効光束径が大きくなるため、この場合も最終レンズ群の径小化が困難である。さらに、特許文献１に記載の実施例６、７、８、９のズームレンズは、広角端の半画角が１１°程度と狭く、広角端において十分に広い画角を実現できていない。一方、特許文献１に記載の実施例３のズームレンズは、広角端の半画角は３８．８°程度と広いが、光学全長の短縮化が図れていない。
【０００９】
特許文献２に記載のズームレンズは、物体側から順に、正・正・負・正の屈折力配置を有し、所定の条件式を満足させることで、ズームレンズユニット全体の小型化が図られている。また、当該ズームレンズは望遠側でのＦナンバーが小さく、明るいズームレンズが実現されている。
【００１０】
しかしながら、特許文献２に記載の実施例１、２、３、４のズームレンズでは、最終レンズ群の最も像側に負の屈折力を有するレンズ成分を配置しているが、広角端から望遠端へのズーミングに際し、最終レンズ群が像面に対して固定（実施例１、２）、又は像側へ移動（実施例３、４）するため、広角端における光学全長の短縮化が図れていない。広角端と望遠端とで光学全長の変化するズームレンズでは、一般に、鏡筒を外筒に内筒を収容可能な入れ子構造とし、広角端から望遠端にズーミングに際し、鏡筒長が伸張するように構成することが行われている。そのため、広角端における光学全長が長いと、外筒に内筒を収容したときの全長が長くなる。また、特許文献２に記載の実施例５のズームレンズでは、最終レンズ群を物体側から順に、凸レンズと凹レンズとから構成し、広角端から望遠端へのズーミングに際し、最終レンズ群を物体側へ移動させることで、最終レンズ群の径大化を抑制する試みがなされている。しかしながら、最終レンズ群を構成する凸レンズの屈折力が弱く、凸レンズと凹レンズとの光軸上の間隔も広いため、最終レンズ群の径小化が不十分である。
【００１１】
特許文献３に記載のズームレンズは、物体側から順に、正・負・正・正・負の屈折力配置を有し、第１レンズ群と最も像側に配置されるレンズ群とにそれぞれ反射部材を設けることで、撮像装置の厚さ方向を薄くし、ズームレンズユニット全体の小型化及び高性能化が図られている。
【００１２】
しかしながら、特許文献３の実施例１、２、３に記載のズームレンズはいずれも、最終レンズ群が物体側から順に凸レンズと凹レンズとを少なくとも備え、最終レンズ群の径大化を抑制するための一定の配慮がなされている。しかしながら、特許文献３に記載のズームレンズは、最終レンズ群を移動させることでフォーカシングを行っている。そのため、フォーカスレンズ群の軽量化が困難であり、ＡＦ（オートフォーカス）駆動を行うためのアクチュエータ等が大型化するため、ズームレンズユニット全体の小型化が困難である。また、撮像素子の撮像面の最大像高に対して、ＢＦ（バックフォーカス）が十分に短いとは言えない。さらに、ズーミングに際し第１レンズ群及び最終レンズ群が像面に対して固定されているため、広角端と望遠端とで光学全長の変化がなく、光学全長の短縮化が求められる。
【先行技術文献】
【特許文献】
【００１３】
【特許文献１】特開２０１４−２２８８０７号公報
【特許文献２】特開２０１７−４０８７５号公報
【特許文献３】特開２０１８−１３６８４号公報
【発明の概要】
【発明が解決しようとする課題】
【００１４】
本件発明の課題は上記の問題に鑑みなされたものであって、フランジバックの短い撮像装置に好適で、全体的に小型で、最終レンズ群の径小化が容易であり、且つ高性能なズームレンズ及び当該ズームレンズ有する撮像装置を提供することにある。
【課題を解決するための手段】
【００１５】
上記課題を解決するため、本件発明に係るズームレンズは物体側から順に、全体で正の屈折力を有する前群と、前記前群の像側に配置されるレンズ群ＧＢとから構成され、隣り合うレンズ群の光軸上の間隔を変化させることで変倍するズームレンズであって、前記前群は少なくとも３つのレンズ群を有し、前記レンズ群ＧＢは、像側から順に、負のレンズ成分Ｎｂと、負のレンズ成分Ｎｆと、正のレンズ成分Ｐとを有し、前記負のレンズ成分Ｎｂの物体側面は凹面であり、広角端から望遠端へのズーミングに際し、前記レンズ群ＧＢは物体側へ移動し、前記前群を構成するレンズ群のうち、一部のレンズ群を光軸に沿って移動させることでフォーカシングを行い、以下の条件式を満足することを特徴とする。
（１）  −０．７  ≦  （ＲＮｆ＋ＲＮｂ）／（ＲＮｆ−ＲＮｂ）  ≦  ２．０
但し、
ＲＮｆ：前記負のレンズ成分Ｎｆの最も像側面の曲率半径
ＲＮｂ：前記負のレンズ成分Ｎｂの最も物体側面の曲率半径
【００１６】
また、上記課題を解決するため、本件発明に係る撮像装置は、上記ズームレンズと、当該ズームレンズの像面側に当該ズームレンズによって形成された光学像を電気的信号に変換する撮像素子とを備えたことを特徴とする。
【発明の効果】
【００１７】
本件発明によれば、フランジバックの短いデジタルスチルカメラ等に好適で、全体的に小型で、最終レンズ群の径小化が容易であり、且つ高性能なズームレンズ及び当該ズームレンズを有する撮像装置を提供することができる。
【図面の簡単な説明】
【００１８】
【図１】本件発明の実施例１のズームレンズの広角端における無限遠合焦時のレンズ断面図を示す。
【図２】実施例１のズームレンズの広角端における収差図である。
【図３】実施例１のズームレンズの中間焦点距離位置における収差図である。
【図４】実施例１のズームレンズの望遠端における収差図である。
【図５】本件発明の実施例２のズームレンズの広角端における無限遠合焦時のレンズ断面図を示す。
【図６】実施例２のズームレンズの広角端における収差図である。
【図７】実施例２のズームレンズの中間焦点距離位置における収差図である。
【図８】実施例２のズームレンズの望遠端における収差図である。
【図９】本件発明の実施例３のズームレンズの広角端における無限遠合焦時のレンズ断面図を示す。
【図１０】実施例３のズームレンズの広角端における収差図である。
【図１１】実施例３のズームレンズの中間焦点距離位置における収差図である。
【図１２】実施例３のズームレンズの望遠端における収差図である。
【図１３】本件発明の実施例４のズームレンズの広角端における無限遠合焦時のレンズ断面図を示す。
【図１４】実施例４のズームレンズの広角端における収差図である。
【図１５】実施例４のズームレンズの中間焦点距離位置における収差図である。
【図１６】実施例４のズームレンズの望遠端における収差図である。
【図１７】本件発明の実施例５のズームレンズの広角端における無限遠合焦時のレンズ断面図を示す。
【図１８】実施例５のズームレンズの広角端における収差図である。
【図１９】実施例５のズームレンズの中間焦点距離位置における収差図である。
【図２０】実施例５のズームレンズの望遠端における無限遠合焦時の収差図である。
【図２１】本件発明の実施例６のズームレンズの広角端における無限遠合焦時のレンズ断面図を示す。
【図２２】実施例６のズームレンズの広角端における収差図である。
【図２３】実施例６のズームレンズの中間焦点距離位置における収差図である。
【図２４】実施例６のズームレンズの望遠端における収差図である。
【図２５】本件発明の実施例７のズームレンズの広角端における無限遠合焦時のレンズ断面図を示す。
【図２６】実施例７のズームレンズの広角端における収差図である。
【図２７】実施例７のズームレンズの中間焦点距離位置における収差図である。
【図２８】実施例７のズームレンズの望遠端における収差図である。
【図２９】本件発明の実施例８のズームレンズの広角端における無限遠合焦時のレンズ断面図を示す。
【図３０】実施例８のズームレンズの広角端における収差図である。
【図３１】実施例８のズームレンズの中間焦点距離位置における収差図である。
【図３２】実施例８のズームレンズの望遠端における収差図である。
【図３３】本件発明の実施例９のズームレンズの広角端における無限遠合焦時のレンズ断面図を示す。
【図３４】実施例９のズームレンズの広角端における収差図である。
【図３５】実施例９のズームレンズの中間焦点距離位置における収差図である。
【図３６】実施例９のズームレンズの望遠端における収差図である。
【発明を実施するための形態】
【００１９】
以下、本件発明に係るズームレンズ及び撮像装置の実施の形態を説明する。但し、以下に説明する当該ズームレンズ及び撮像装置は本件発明に係るズームレンズ及び撮像装置の一態様であって、本件発明に係るズームレンズ及び撮像装置は以下の態様に限定されるものではない。
【００２０】
１．ズームレンズ
１−１．ズームレンズの光学構成
本実施の形態のズームレンズは、物体側から順に、全体で正の屈折力を有する前群と、前群の像側に配置されるレンズ群ＧＢとから実質的に構成される。ここで、「実質的に構成される」とは、当該ズームレンズを実質的に構成する光学要素として少なくとも上記前群及びレンズ群ＧＢがあればよく、それ以外に他のレンズ群や、絞りやカバーガラス等のレンズ以外の光学要素等を備えることは許容されることを意味する。なお、各レンズ群は少なくとも１枚のレンズを含むものとする。
【００２１】
以下、本件発明に係るズームレンズを構成するレンズ群の光学構成に関して詳細に説明する。
【００２２】
（１）前群
前群は、全体で正の屈折力を有し、少なくとも３つのレンズ群を有する限り、その具体的な群構成は特に限定されるものではない。少なくとも３つのレンズ群から前群を構成し、ズーミングに際して隣り合うレンズ群の光軸上の間隔を変化させることで、変倍時に各レンズ群を相対的に移動させることで収差変動を抑制することが容易になるため、各レンズ群の変倍時の位置や光学設計に関する自由度が高くなり、結像性能の高いズームレンズを得ることができる。
【００２３】
前群は、正の屈折力を有するレンズ群と負の屈折力を有するレンズ群とをそれぞれ少なくとも一群以上備えることが好ましい。このような構成とすることで、前群の各レンズ群の変倍負担の偏りが少なくなり、少ないレンズ枚数で収差補正を良好に行うことができ、高変倍比であり、且つ、小型のズームレンズを実現できる。また、前群は、少なくとも４つのレンズ群を備えることが好ましい。４つ以上のレンズ群により前群を構成することで、各レンズ群の変倍時の位置や光学設計に関する自由度がより高くなり、高変倍化と高性能化の点で好ましい。
【００２４】
前群は、その最も像側に負レンズ群ＧＦを備えることが好ましい。前群の最も像側に負レンズ群ＧＦを配置することによって、当該ズームレンズをテレフォト傾向の強い屈折力配置にすることが容易となり、全長の小型化を図ることが容易となる。ここで、テレフォト傾向の屈折力配置とは、当該ズームレンズのテレフォト比（光学全長／焦点距離）が１より小さいことを意味し、テレフォト傾向が強いとは、テレフォト比がより小さい値を示すことを意味する。
【００２５】
また、前群において最も物体側に配置されるレンズ群は正の屈折力を有していてもよく、負の屈折力を有していてもよい。前群の最も物体側に配置されるレンズ群が正の屈折力を有する場合、正群先行型のズームレンズとして高変倍比を実現しやすく、テレフォト傾向が強く望遠端における光学全長の短いズームレンズを実現することが容易になる。一方、前群の最も物体側に配置されるレンズ群が負の屈折力を有する場合、負群先行型のズームレンズとして、広角端の画角が広いズームレンズを得ることもできる。
【００２６】
（２）レンズ群ＧＢ
レンズ群ＧＢは前群の像側に配置されるレンズ群であり、当該ズームレンズにおいて実質的に最も像側に配置される。レンズ群ＧＢは全体として正の屈折力を有していてもよいし、負の屈折力を有していてもよい。レンズ群ＧＢが全体として正の屈折力を有する場合、Ｆナンバーの小さい明るいレンズを実現しやすい。また、この場合、広角化を図ることが容易になり、広角端において画角の広いズームレンズを実現しやすくなる。
【００２７】
一方、レンズ群ＧＢが全体として負の屈折力を有する場合は、当該ズームレンズをテレフォト傾向の強い屈折力配置にすることが容易となり、全長の小型化を図ることが容易となる。また、この場合、当該ズームレンズにおいて像側に配置されるレンズ群（レンズ群ＧＢを含む）の径小化が図り易いといった利点がある。
【００２８】
レンズ群ＧＢは、像側から順に、負のレンズ成分Ｎｂと、負のレンズ成分Ｎｆと、正のレンズ成分Ｐとを有する。レンズ群ＧＢはこれらの３つのレンズ成分を備える限り、他のレンズ構成は特に限定されるものではない。但し、ここでいうレンズ成分とは、１枚の単レンズ、或いは、複数枚の単レンズを空気間隔を介することなく一体化した接合レンズなどのレンズユニットをいう。すなわち、レンズ成分とは、複数の光学面を有する場合であっても、その最物体側面及び最像側面のみ空気と接し、その他の面は空気とは接していないものとする。また、当該明細書において、単レンズは、球面レンズ及び非球面レンズのいずれであってもよい。また、非球面レンズには、表面に非球面フィルムが貼設されたいわゆる複合非球面レンズも含まれるものとする。
【００２９】
当該レンズ群ＧＢは、正のレンズ成分Ｐの物体側に一つ以上のレンズ成分を備えていてもよい。レンズ群ＧＢが像側から順に、少なくとも負のレンズ成分Ｎｂと、負のレンズ成分Ｎｆと、正のレンズ成分Ｐとを有する構成とすることで、当該ズームレンズの射出瞳位置を像側よりに配置することができ、バックフォーカスを短くすることができる。そのため、当該ズームレンズの光学全長を短縮化することが容易になり、且つレンズ群ＧＢの径小化を図ることが容易となる。
【００３０】
負のレンズ成分Ｎｂ及び負のレンズ成分Ｎｆと、正のレンズ成分Ｐのレンズ形状は特に限定されるものではないが、それぞれ次のような形状であることが好ましい。
【００３１】
負のレンズ成分Ｎｂの物体側面は凹面であることが好ましい。負のレンズ成分Ｎｂの物体側面を凹面とすることで、正のレンズ成分Ｐで発生したアンダー方向の像面湾曲と歪曲収差とを良好に補正することが可能となる。また、負のレンズ成分Ｎｂは、像側に凸面を向けた負メニスカス形状であることがより好ましい。負のレンズ成分Ｎｂの像側面が凹面、すなわち負のレンズ成分Ｎｂが両凹形状になると、オーバー方向の歪曲収差が大きくなり過ぎて、これを良好に補正することが困難となる。
【００３２】
正のレンズ成分Ｐは、両凸形状であることが好ましい。正のレンズ成分Ｐを両凸形状とすることで、バックフォーカスを短くすることが容易になり、且つ、広角端における斜入射光線をこの正のレンズ成分Ｐにより効率的に屈折させることができるため、レンズ群ＧＢの径小化を図ることができる。
【００３３】
また、正のレンズ成分Ｐの像側面と負のレンズ成分Ｎｆの物体側面とで形成される空気レンズは凹形状であることが好ましい。特に、当該空気レンズは両凹形状、又は、物体側に凹面を向けた負のメニスカス形状であることが好ましい。上記空気レンズを凹形状とすることで、すなわち当該空気レンズを凸レンズとして作用させることで、球面収差、像面湾曲、歪曲収差のバランスを良好に補正することができる。一方、上記空気レンズが凸形状になると、すなわち当該空気レンズが凹レンズとして作用すると、レンズ群ＧＢで発生する球面収差、像面湾曲、歪曲収差がオーバー方向に大きくなり過ぎて、これらを良好に補正することが困難となる。
【００３４】
１−２．動作
（１）ズーミング
当該ズームレンズは、隣り合うレンズ群の光軸上の間隔を変化させることにより変倍する。すなわち、前群に含まれる各レンズ群の光軸上の間隔、及び前群に含まれるレンズ群のうち最も像側に配置されるレンズ群とレンズ群ＧＢとの光軸上の間隔を変化させることにより変倍する。
【００３５】
前群に含まれる各レンズ群はズーミングに際して、互いの光軸上の間隔が変化すればよく、全てのレンズ群が光軸に沿って移動してもよいし、一部のレンズ群が光軸方向に固定されていてもよい。
【００３６】
このように各レンズ群の移動の有無は特に限定されるものではないが、前群の最も物体側に位置するレンズ群は、ズーミングの際に光軸に沿って移動することが好ましい。変倍の際に前群の最も物体側に位置するレンズ群を移動させることで、各レンズ群の変倍負担に無理が生じにくくなり、高変倍比を実現しつつ、結像性能の高いズームレンズを得ることができる。
【００３７】
レンズ群ＧＢは単一のレンズ群であり、ズーミングの際にレンズ群ＧＢを構成する各レンズ成分は同じ移動量で同じ方向に移動し、ズーミングの際にレンズ群ＧＢを構成する各レンズ成分の間隔が変化することはない。
【００３８】
広角端から望遠端へのズーミングに際して、レンズ群ＧＢは物体側へ移動することが好ましい。レンズ群ＧＢを物体側へ移動させることで、広角端における当該ズームレンズのバックフォーカスを短くすることが容易となり、広角端における当該ズームレンズの光学全長を短縮化することができる。また、望遠端におけるレンズ群ＧＢの有効光束径を小さくすることが容易となり、ズームレンズユニット全体としてレンズ群ＧＢの径小化を図れる。
【００３９】
（２）フォーカシング
当該ズームレンズは、前群を構成するレンズ群のうち、一部のレンズ群を光軸に沿って移動させることでフォーカシングを行う。この際、前群を構成するレンズ群のうち、２つ以下のレンズ成分から構成されるレンズ群をフォーカス群とすることにより、レンズ群ＧＢをフォーカス群とする場合と比較するとフォーカス群を小型軽量に構成することができ、迅速なフォーカシングを実現しつつ、当該ズームレンズユニット全体の小型化を容易にすることができる。
【００４０】
一方、レンズ群ＧＢをフォーカス群とすると、フォーカシングの際に少なくとも３つのレンズ成分を光軸に沿って移動させる必要があるため、フォーカス群の小型軽量化が困難であり、迅速なフォーカシングを行うことが困難となる。また、フォーカス群が大型化し重たくなると、オートフォーカス（ＡＦ）時にフォーカス群を駆動するためのアクチュエータ（ＡＦアクチュエータ）が大型化し、ズームレンズユニット全体が大型化するため好ましくない。
【００４１】
フォーカス群の小型軽量化を図る上で、前群を構成するレンズ群のうち、最も物体側に配置されるレンズ群以外のレンズ群をフォーカス群とすることがより好ましい。前群において最も物体側に配置されるレンズ群は一般に径が大きく大型であり重いため、上述した点において好ましくない。
【００４２】
フォーカス群の小型軽量化を図る上で、前群の最も像側に負レンズ群ＧＦを配置し、当該負レンズ群ＧＦをフォーカス群とし、無限遠から近距離へのフォーカシングの際、光軸上を像側へ移動させることが好ましい。当該ズームレンズを構成する全レンズ群のうち、前群の最も像側に負の屈折力を有するレンズ群を配置した場合、当該負レンズ群ＧＦは径小化が容易であるためフォーカス群の小型軽量化が容易である。
【００４３】
ここで、コントラストＡＦ方式を採用する場合、フォーカシングの際にフォーカス群を高速に移動させて被写体のコントラストのピーク位置を検出することにより被写体位置を検出する。この動作をウォブリングという。被写体像を撮像装置に設けられた液晶ディスプレイ等に表示させながら撮像する場合、ウォブリングの際の画角変動が大きいと表示画像の画角変動も大きくなる。当該負レンズ群ＧＦは当該ズームレンズにおいて像側に位置するレンズ群であるため、コントラストＡＦ方式を採用する場合、ＡＦ駆動時のウォブリングに伴う画角の変動を小さくすることができるため、表示画像の画角変動も小さくすることができるため、この点からも負レンズ群ＧＦをフォーカス群とすることが好ましい。
【００４４】
１−３．条件式
当該ズームレンズは、上述した構成を採用すると共に、次に説明する条件式を１つ以上満足することが望ましい。
【００４５】
１−３−１．条件式（１）
（１）  −０．７  ≦  （ＲＮｆ＋ＲＮｂ）／（ＲＮｆ−ＲＮｂ）  ≦  ２．０
但し、
ＲＮｆ：負のレンズ成分Ｎｆの最も像側面の曲率半径
ＲＮｂ：負のレンズ成分Ｎｂの最も物体側面の曲率半径
【００４６】
上記条件式（１）は、負のレンズ成分Ｎｆの最も像側面と負のレンズ成分Ｎｂの最も物体側面とにより形成される空気レンズの形状を規定する式である。条件式（１）を満足させることにより、ズーム全域に亘って像面湾曲を良好に補正することができ、結像性能の高いズームレンズを得ることができる。なお、各レンズ成分が単レンズから構成される場合、最も像側面とはその単レンズの像側面をいい、最も物体側面とはその物体側面をいう。各レンズ成分が接合レンズから構成される場合、最も像側面とはその接合レンズを構成するレンズのうち最も像側に配置されるレンズの像側面をいい、最も物体側面とはその接合レンズを構成するレンズのうち最も物体側に配置されるレンズの物体側面をいう。
【００４７】
これに対して、条件式（１）の数値が下限値未満になると、負のレンズ成分Ｎｆの最も像側面に対して、負のレンズ成分Ｎｂの最も物体側面の発散作用が弱くなり、アンダー傾向となる像面湾曲を良好に補正することが困難となる。一方、条件式（１）の数値が上限値を超えると、負のレンズ成分Ｎｆの像側面に対して、負のレンズ成分Ｎｂの物体側面の発散作用が強くなり過ぎて、オーバー傾向となる像面湾曲を良好に補正することが困難となる。
【００４８】
上記効果を得る上で、条件式（１）の上限値は１．８であることがより好ましく、１．６であることがさらに好ましく、１．４であることが一層好ましい。また、条件式（１）の下限値は−０．６であることがより好ましく、−０．５であることがさらに好ましく、−０．４であることが一層好ましい。
【００４９】
１−３−２．条件式（２）
当該ズームレンズは、前群の最も像側に負レンズ群ＧＦを備えるとともに、以下の条件式を満足することが好ましい。
（２）  １．１  ≦  βＦＢｔ／βＦＢｗ  ≦  ２．５
但し、
βＦＢｔ：望遠端における前記レンズ群ＧＦ及び前記レンズ群ＧＢの合成横倍率
βＦＢｗ：広角端における前記レンズ群ＧＦ及び前記レンズ群ＧＢの合成横倍率
【００５０】
条件式（２）は当該ズームレンズにおいて最も像側に配置されるレンズ群ＧＦと、レンズ群ＧＦの像側に配置されるレンズ群ＧＢとによる広角端の合成横倍率の望遠端の合成横倍率との比を規定する式である。条件式（２）を満足させることにより、ズーム全域において高い結像性能を維持しつつ、望遠端における当該ズームレンズの光学全長を短縮化することができる。
【００５１】
これに対して、条件式（２）の数値が下限値未満になると、テレフォト傾向の弱い屈折力配置となり、望遠端における当該ズームレンズの光学全長を焦点距離に比して短縮することが困難になる。一方、条件式（２）の数値が上限値を超えると、テレフォト傾向が強くなり過ぎて、収差の発生量が増加し、これを補正するためにレンズ枚数を要することから、少ないレンズ枚数で結像性能の高いズームレンズを実現することが困難になる。
【００５２】
上記効果を得る上で、条件式（２）の上限値は２．３であることがより好ましく、２．１であることがさらに好ましく、２．０であることが一層好ましい。また、条件式（２）の下限値は１．２であることがより好ましく、１．２５であることがさらに好ましい。
【００５３】
１−３−３．条件式（３）
当該ズームレンズは、以下の条件式を満足することが好ましい。
（３）  ０．３  ≦  ＢＦｗ／Ｙ  ≦  １．５
但し、
ＢＦｗ：広角端における当該ズームレンズのバックフォーカス
Ｙ    ：当該ズームレンズの最大像高
【００５４】
条件式（３）は広角端における当該ズームレンズのバックフォーカスと該ズームレンズの最大像高との比を規定する式である。条件式（３）を満足させることにより、広角端における当該ズームレンズのバックフォーカスが短く、射出瞳径の小さな小型のズームレンズを実現できる。
【００５５】
これに対して、条件式（３）の数値が下限値未満になると、広角端における当該ズームレンズのバックフォーカスが短くなり過ぎて、撮像面への入射光の光軸に対する傾斜角度が大きくなり過ぎる。撮像面への入射光の光軸に対する傾斜角度を小さくするには、射出瞳径を大きくする必要がある。そのため、レンズ群ＧＢの径小化が困難になる。一方、条件式（３）の数値が上限値を超えると、広角端における当該ズームレンズのバックフォーカスが長くなり過ぎて、広角端における当該ズームレンズの光学全長を短縮化することが困難になる。
【００５６】
上記効果を得る上で、条件式（３）の上限値は１．３であることがより好ましく、１．２であることがさらに好ましく、１．１であることが一層好ましい。また、条件式（３）の下限値は０．４であることがより好ましく、０．５であることがさらに好ましい。
【００５７】
１−３−４．条件式（４）
当該ズームレンズは、以下の条件式を満足することが好ましい。
（４）  ０．５  ≦  ｆＰ／Ｙ  ≦  ２．７
但し、
ｆＰ：正のレンズ成分Ｐの焦点距離
Ｙ  ：当該ズームレンズの最大像高
【００５８】
条件式（４）は正のレンズ成分Ｐの焦点距離と当該ズームレンズの最大像高との比を規定する式である。条件式（４）を満足させることで、正のレンズ成分Ｐの屈折力が適正な範囲内となり少ないレンズ枚数で高い結像性能を有するズームレンズを実現しつつ、レンズ群ＧＢの径小化を図ることができる。
【００５９】
これに対して、条件式（４）の数値が下限値未満になると、正のレンズ成分Ｐの屈折力が強くなり過ぎて、少ないレンズ枚数で収差補正を良好に行うことが困難になる。特に、この場合、広角端では像面湾曲と歪曲収差とを良好に補正することが困難になり、望遠端では球面収差を良好に補正することが困難になる。一方、条件式（４）の数値が上限値を超えると、正のレンズ成分Ｐの屈折力が弱くなり、レンズ群ＧＢを通過する斜入射光束の光軸からの高さが高くなるため、レンズ群ＧＢの径小化が困難となる。
【００６０】
上記効果を得る上で、条件式（４）の上限値は２．６であることがより好ましく、２．３であることがさらに好ましく、２．１であることが一層好ましく、１．９であることがより一層好ましい。また、条件式（４）の下限値は０．６であることがより好ましく、０．７であることがさらに好ましく、０．８であることが一層好ましい。
【００６１】
１−３−５．条件式（５）
当該ズームレンズは、以下の条件式を満足することが好ましい。
（５）  ０．４  ≦  ｜ｆＮ｜／Ｙ  ≦  ２．７
但し、
ｆＮ：負のレンズ成分Ｎｆ及び負のレンズ成分Ｎｂの合成焦点距離
Ｙ  ：当該ズームレンズの最大像高
【００６２】
条件式（５）は互いに隣接配置される負のレンズ成分Ｎｆ及び負のレンズ成分Ｎｂの合成焦点距離と当該ズームレンズの最大像高との比を規定する式である。条件式（５）を満足させることにより、当該ズームレンズにおいて射出瞳位置を適正な位置に配置することができ、これと同時に良好な像面性を得ることができる。
【００６３】
これに対して、条件式（５）の数値が下限値未満になると、負のレンズ成分Ｎｆ及び負のレンズ成分Ｎｂによる発散作用が強くなり過ぎて、像面湾曲がオーバー傾向となり、これを良好に補正することが困難となる。一方、条件式（５）の数値が上限値を超えると、射出瞳位置を像側よりに配置することができなくなるため、レンズ群ＧＢの径小化を図ることが困難になる。
【００６４】
上記効果を得る上で、条件式（５）の上限値は２．４であることがより好ましく、２．２であることがさらに好ましく、２．０であることが一層好ましい。また、条件式（５）の下限値は０．５であることがより好ましく、０．６であることがさらに好ましく、０．７であることが一層好ましい。
【００６５】
１−３−６．  条件式（６）
当該ズームレンズは、以下の条件式を満足することが好ましい。
（６）  ０．２  ≦  ＲＰ／ｆｗ  ≦  ２．５
但し、
ＲＰ：正のレンズ成分Ｐの物体側面の曲率半径
ｆｗ：広角端における当該ズームレンズの焦点距離
【００６６】
条件式（６）は正のレンズ成分Ｐの物体側面の曲率半径と広角端における当該ズームレンズの焦点距離との比を規定する式である。条件式（６）を満足させることにより、球面収差と像面湾曲とをバランスよく良好に補正することができる。
【００６７】
これに対して、条件式（６）の数値が下限値未満になると、軸上光束よりも斜入射光束の屈折作用が強くなるため、像面湾曲が大きくアンダー傾向となり、球面収差とのバランスをとることができない。一方、条件式（６）の数値が上限値を超えると、像面湾曲が大きくアンダー傾向となり、球面収差とのバランスをとることが困難となる。
【００６８】
上記効果を得る上で、条件式（６）の上限値は２．３であることがより好ましく、２．１であることがさらに好ましく、１．９であることが一層好ましい。また、条件式（６）の下限値は０．３であることがより好ましく、０．４であることがさらに好ましく、０．４５であることが一層好ましい。
【００６９】
１−３−７．  条件式（７）
当該ズームレンズは、以下の条件式を満足することが好ましい。
（７）  ０．２  ≦  ｆＮｆ／ｆＮｂ  ≦  １．８
但し、
ｆＮｆ：負のレンズ成分Ｎｆの焦点距離
ｆＮｂ：負のレンズ成分Ｎｂの焦点距離
【００７０】
条件式（７）は負のレンズ成分Ｎｆの焦点距離と負のレンズ成分Ｎｂの焦点距離との比を規定する式である。条件式（７）を満足させることにより、レンズ群Ｇｂを構成する各レンズ成分の偏芯感度を小さくすることが容易となり、製造時の偏芯誤差による光学性能の劣化を抑制することができる。すなわち、製造ばらつきを小さくすることができ、歩留まりを向上することができる。
【００７１】
これに対して、条件式（７）の数値が下限値未満になると、負のレンズ成分Ｎｆの屈折力が強くなり過ぎて、負のレンズ成分Ｎｆと正のレンズ成分Ｐとの偏芯感度が高くなり、製造時の偏芯誤差による光学性能の劣化を抑制することが困難になる。一方、条件式（７）の数値が上限値を超えると、負のレンズ成分Ｎｂの屈折力が強くなり過ぎて、負のレンズ成分Ｎｂと正のレンズ成分Ｐとの偏芯感度が高くなり、この場合も製造時の偏芯誤差による光学性能の劣化を抑制することが困難になる。
【００７２】
上記効果を得る上で、条件式（７）の上限値は１．７であることがより好ましく、１．６であることがさらに好ましく、１．５であることが一層好ましい。また、条件式（７）の下限値は０．３であることがより好ましく、０．４であることがさらに好ましい。
【００７３】
１−３−８．  条件式（８）
当該ズームレンズは、以下の条件式を満足することが好ましい。
（８）  ２０  ≦  νＰ  ≦  ４５
但し、
νＰ：正のレンズ成分Ｐに含まれる、最もアッベ数の小さい正レンズのｄ線に対するアッベ数
【００７４】
条件式（８）は正のレンズ成分Ｐに含まれる最もアッベ数の小さい正レンズのｄ線に対するアッベ数を規定する式である。ここで、正のレンズ成分Ｐが正レンズから構成される場合、νＰはその正レンズのｄ線に対するアッベ数を指す。正のレンズ成分Ｐが正レンズを含む接合レンズから構成される場合、νＰはその接合レンズに含まれる正レンズのうち最もｄ線に対するアッベ数の小さい正レンズのｄ線に対するアッベ数を指す。条件式（８）を満足させることにより、ズーム全域で軸上色収差と倍率色収差とをバランスよく補正することができる。
【００７５】
これに対して、条件式（８）の数値が下限値未満になると、広角端でＦ線の倍率色収差とＣ線の倍率色収差との差が大きくなり、補正が困難となる。一方、条件式（８）の数値が上限値を超えると、特に望遠端でＦ線の軸上色収差とＣ線の軸上色収差との差が大きくなり、補正が困難となる。
【００７６】
上記効果を得る上で、条件式（８）の上限値は４３であることがより好ましく、４０であることがさらに好ましく、３８であることが一層好ましい。また、条件式（８）の下限値は２３であることがより好ましく、２５であることがさらに好ましい。
【００７７】
２．撮像装置
次に、本件発明に係る撮像装置について説明する。本件発明に係る撮像装置は、上記本件発明に係るズームレンズと、当該ズームレンズの像面側に当該ズームレンズによって形成された光学像を電気的信号に変換する撮像素子とを備えたことを特徴とする。
【００７８】
ここで、撮像素子等に特に限定はなく、ＣＣＤ（Charge Coupled Device）センサやＣＭＯＳ（Complementary Metal Oxide Semiconductor）センサなどの固体撮像素子等も用いることができる。本件発明に係る撮像装置は、デジタルカメラやビデオカメラ等のこれらの固体撮像素子を用いた撮像装置に好適である。また、当該撮像装置は、レンズが筐体に固定されたレンズ固定式の撮像装置であってもよいし、ミラーレス一眼カメラ等のレンズ交換式の撮像装置であってもよいのは勿論である。
【００７９】
当該撮像装置は、撮像素子により取得した撮像画像データを電気的に加工して、撮像画像の形状を変化させる画像処理部や、当該画像処理部において撮像画像データを加工するために用いる画像補正データ、画像補正プログラム等を保持する画像補正データ保持部等を有することがより好ましい。ズームレンズを小型化した場合、結像面において結像された撮像画像形状の歪み（歪曲）が生じやすくなる。その際、画像補正データ保持部に予め撮像画像形状の歪みを補正するための歪み補正データを保持させておき、上記画像処理部において、画像補正データ保持部に保持された歪み補正データを用いて、撮像画像形状の歪みを補正することが好ましい。このような撮像装置によれば、ズームレンズの小型化をより一層図ることができ、秀麗な撮像画像を得ると共に、撮像装置全体の小型化を図ることができる。
【００８０】
さらに、本件発明に係る撮像装置において、上記画像補正データ保持部に予め倍率色収差補正データを保持させておき、上記画像処理部において、画像補正データ保持部に保持された倍率色収差補正データを用いて、当該撮像画像の倍率色収差補正を行わせることが好ましい。画像処理部により、倍率色収差、すなわち、色による倍率の差を補正することで、光学系を構成するレンズ枚数を削減することが可能になる。そのため、このような撮像装置によれば、ズームレンズの小型化をより一層図ることができ、秀麗な撮像画像を得ると共に、撮像装置全体の小型化を図ることができる。
【００８１】
次に、実施例を示して本件発明を具体的に説明する。但し、本件発明は以下の実施例に限定されるものではない。以下に挙げる各実施例のズームレンズは、上記撮像装置（光学装置）に用いられるズームレンズ（変倍光学系）であり、特に、レンズ交換システムを適用した撮像装置に好ましく適用することができる。また、各レンズ断面図において、図面に向かって左方が物体側であり、右方が像側である。
【実施例１】
【００８２】
（１）ズームレンズの光学構成
図１は、本件発明に係る実施例１のズームレンズの広角端における無限遠合焦時のレンズ構成を示すレンズ断面図である。なお、図中に示す「ＩＰ」は像面であり、具体的にはＣＣＤセンサ、ＣＭＯＳセンサ等の固体撮像素子の撮像面、或いは、銀塩フィルムのフィルム面等を表す。また、像面ＩＰの物体側にはカバーガラス「ＣＧ」等の実質的な屈折力を有さない平行平板を備える。これらの点は、他の実施例で示す各レンズ断面図においても同様であるため、以下では説明を省略する。
【００８３】
実施例１のズームレンズは、物体側から順に、全体で正の屈折力を有する前群と、レンズ群ＧＢとから構成される。前群は物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、負の屈折力を有する第６レンズ群Ｇ６とから構成される。第６レンズ群Ｇ６は、レンズ群ＧＦに相当する。レンズ群ＧＢは、負の屈折力を有する第７レンズ群Ｇ７から構成される。開口絞りＳは、第３レンズ群Ｇ３の物体側に第３レンズ群Ｇ３と隣接して配置される。
【００８４】
以下、各レンズ群の構成を説明する。第１レンズ群Ｇ１は、物体側から順に、物体側に凸面を向けた負メニスカスレンズＬ１及び両凸レンズＬ２を接合した接合レンズと、物体側に凸面を向けた正メニスカスレンズＬ３とから構成される。
【００８５】
第２レンズ群Ｇ２は、物体側から順に、物体側に凸面を向けた負メニスカスレンズＬ４と、両凹レンズＬ５、両凸レンズＬ６及び像側に凸面を向けた負メニスカスレンズＬ７の３枚のレンズを接合した接合レンズとから構成される。負メニスカスレンズＬ４は、物体側面が非球面形状のガラスモールド型非球面レンズである。
【００８６】
第３レンズ群Ｇ３は、物体側から順に、物体側に凸面を向けた正メニスカスレンズＬ８と、両凸レンズＬ９と、物体側に凸面を向けた負メニスカスレンズＬ１０及び両凸レンズＬ１１を接合した接合レンズとから構成される。
【００８７】
第４レンズ群Ｇ４は、両凹レンズＬ１２から構成される。両凹レンズＬ１２は、物体側面に、非球面形状に成型された複合樹脂膜が貼付された複合樹脂型非球面レンズである。
【００８８】
第５レンズ群Ｇ５は、物体側から順に、両凸レンズＬ１３と、物体側に凸面を向けた負メニスカスレンズＬ１４及び両凸レンズＬ１５を接合した接合レンズとから構成される。両凸レンズＬ１３は、両面が非球面形状のガラスモールド型非球面レンズである。
【００８９】
第６レンズ群Ｇ６は、物体側に凸面を向けた負メニスカスレンズＬ１６から構成される。負メニスカスレンズＬ１６は、両面が非球面形状のガラスモールド型非球面レンズである。
【００９０】
第７レンズ群Ｇ７は、物体側から順に、両凸レンズＬ１７と、両凹レンズＬ１８と、像側に凸面を向けた負メニスカスレンズＬ１９とから構成される。ここで、両凸レンズＬ１７は正のレンズ成分Ｐに相当し、両凹レンズＬ１８は負のレンズ成分Ｎｆに相当し、負メニスカスレンズＬ１９は負のレンズ成分Ｎｂに相当する。
【００９１】
広角端から望遠端へのズーミングに際し、第１レンズ群Ｇ１は物体側に移動し、第２レンズ群Ｇ２はまず像側に移動した後に物体側へ移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動し、第７レンズ群Ｇ７は物体側へ移動する。ズーミングに際し、第３レンズ群Ｇ３と第５レンズ群Ｇ５と第７レンズ群Ｇ７とは同一軌道で移動する。
【００９２】
無限遠物体から近距離物体へのフォーカシングは、第６レンズ群Ｇ６を光軸に沿って像側に移動させることで行う。
【００９３】
（２）数値実施例
次に、当該ズームレンズの具体的数値を適用した数値実施例について説明する。表１に本件発明に係る実施例１のズームレンズの面データを示す（表１における第３６面及び第３７面はカバーガラスＣＧの面データである。）。表１において、「面番号」は物体側から数えたレンズ面の順番、「ｒ」はレンズ面の曲率半径、「ｄ」はレンズ面の光軸上の間隔、「ｎｄ」はｄ線（波長λ＝５８７．５６ｎｍ）に対する屈折率、「νｄ」はｄ線に対するアッベ数を示している。また、面番号の右側に表示する「＊」は当該レンズ面が非球面であることを表し、「Ｓ」は開口絞りを表している。さらに、レンズ面の光軸上の間隔の欄に、「ｄ（５）」、「ｄ（１１）」等と示すのは、当該レンズ面の光軸上の間隔が変倍時に変化する可変間隔であることを意味する。なお、各表中の長さの単位は全て「ｍｍ」であり、曲率半径の欄の「∞」は平面を意味する。
【００９４】
表２は、当該ズームレンズの緒元表である。当該緒元表には、無限遠合焦時における当該ズームレンズの焦点距離「ｆ」、Ｆ値「Ｆｎｏ．」、半画角「ω」、最大像高「Ｙ」を示す。但し、表２には、左側から順に、広角端、中間焦点距離位置、望遠端におけるそれぞれの値を示している。なお、表中の長さの単位は全て「ｍｍ」であり、画角の単位は全て「°」である。
【００９５】
表３に、無限遠合焦時（∞）及び近距離物体合焦時（撮影距離は左側から順に、広角端：３００ｍｍ、中間焦点距離位置：５００ｍｍ、望遠端：８００ｍｍ）における当該ズームレンズの光軸上の可変間隔を示す。表３において、無限遠合焦時（∞）及び近距離物体合焦時における可変間隔は左側から順に、広角端、中間焦点距離位置、望遠端におけるそれぞれの値を示している。
【００９６】
表４に、当該ズームレンズを構成する各レンズ群の焦点距離を示す。
【００９７】
表５は、各非球面の非球面係数である。当該非球面係数は、各非球面形状を下記式で定義したときの値である。
【００９８】
Ｘ＝（Ｈ２／ｒ）／［１＋｛１−（１＋ｋ）・（Ｈ／ｒ）２｝１／２］＋Ａ４・Ｈ４＋Ａ６・Ｈ６＋Ａ８・Ｈ８＋Ａ１０・Ｈ１０＋Ａ１２・Ｈ１２
【００９９】
但し、上記式において、「Ｘ」は光軸方向の基準面からの変位量、「ｒ」は近軸曲率半径、「Ｈ」は光軸に垂直な方向の光軸からの高さ、「ｋ」は円錐定数（コーニック係数）、「Ａｎ」はｎ次の非球面係数である。また、表５において「Ｅ−ｎ」は「×１０−ｎ」を示す。
【０１００】
また、表４６に条件式（１）〜条件式（８）の値と、条件式（１）〜条件式（８）の計算に用いた各値を示す。
【０１０１】
上述した各表に関する事項は他の実施例で示す各表においても同様であるため、以下では説明を省略する。
【０１０２】
［表１］
面番号       r         d          nd       νd
物体面        ∞       d(0)                      
1         126.8033    1.2000     1.85478    24.80
2          73.1163    6.5498     1.49700    81.61
3        -619.9628    0.2000                     
4          57.8673    4.7502     1.59349    67.00
5         168.1327     d(5)                     
6*         73.0270    1.1000     1.87070    40.73
7          20.1788    6.5245                     
8         -59.9309    0.8000     1.87070    40.73
9          32.6271    6.1879     1.84666    23.78
10        -33.8219    0.9000     1.80420    46.50
11       -633.2189     d(11)                     
12S           ∞      1.2000                     
13         34.8967    2.5748     1.85478    24.80
14        105.2664    0.2143                     
15         48.7916    2.8950     1.72916    54.67
16       -207.3456    0.2000                     
17        101.3163    0.9000     1.80809    22.76
18         29.9068    3.5853     1.49700    81.61
19       -132.7415     d(19)                     
20*       -23.7077    0.2468     1.51460    49.96
21        -25.7724    0.8000     1.85150    40.78
22         65.2251     d(22)                     
23*        23.0080    6.3068     1.69350    53.18
24*       -48.1474    0.2000                     
25         37.0746    0.8000     1.91082    35.25
26         16.3655    6.4374     1.49700    81.61
27        -35.1960     d(27)                     
28*        79.0659    0.9000     1.59201    67.02
29*        19.9423     d(29)                     
30         36.6023    6.3766     1.67270    32.10
31        -45.2833    0.2000                     
32       -303.8734    0.9000     1.85150    40.78
33         40.0745    6.5841                     
34        -21.0548    1.0000     1.72916    54.68
35        -52.1735     d(35)                     
36            ∞      2.5000     1.51680    64.20
37            ∞      1.0000                     
像面          ∞                                 
【０１０３】
［表２］
広角端      中間      望遠端
f         28.7936    75.0289   193.9307
FNo.       2.8965     4.1889     5.7781
ω        37.6195    15.3512     6.1472
Y         21.6330    21.6330    21.6330
【０１０４】
［表３］
広角端       中間       望遠端      広角端       中間       望遠端
d(0)          ∞          ∞          ∞      165.7499    340.7231    610.7498
d(5)        0.8000     24.6717     48.0431      0.8000     24.6717     48.0431
d(11)      24.4154     10.1212      2.1272     24.4154     10.1212      2.1272
d(19)       2.2954      4.0353      6.4036      2.2954      4.0353      6.4036
d(22)       5.2082      3.4678      1.1000      5.2082      3.4678      1.1000
d(27)       1.3034      2.3598      1.4441      2.8006      5.0953      8.0146
d(29)      12.6942     11.6380     12.5536     11.1970      8.9024      5.9831
d(35)      13.4999     28.9498     43.5451     13.4999     28.9498     43.5451
【０１０５】
［表４］
G1        106.0065
G2        -21.9002
G3         28.3494
G4        -20.7806
G5         19.0830
G6        -45.3040
G7       -144.1356
【０１０６】
［表５］
面番号  k          A4            A6           A8            A10          A12
6    0.0000  -9.86089E-07  -9.19169E-10  -2.48794E-12   1.49982E-15  0.00000E+00
20  -0.1591   3.73272E-05  -9.02045E-08   9.87967E-10  -7.53595E-12  2.38762E-14
23   0.3924  -2.16911E-05   8.68108E-09   1.11227E-09  -1.16883E-11  4.79637E-14
24   0.0000   3.27128E-05  -1.04498E-07   2.33175E-09  -2.01761E-11  7.62655E-14
28   0.0000  -2.55954E-05   3.56502E-07  -1.70180E-09  -6.24255E-12  6.45296E-14
29   0.0000  -3.14993E-05   4.15457E-07  -2.60403E-09  -9.27673E-13  5.04098E-14
【０１０７】
また、図２〜図４に、当該実施例１のズームレンズの広角端、中間焦点距離位置、望遠端における無限遠合焦時の縦収差図をそれぞれ示す。各図に示す縦収差図は、図面に向かって左側から順に、それぞれ球面収差（ｍｍ）、非点収差（ｍｍ）、歪曲収差（％）である。球面収差を表す図では、縦軸は開放Ｆ値との割合、横軸にデフォーカスをとり、実線がｄ線（波長λ＝５８７．５６ｎｍ）、破線がＣ線（波長λ＝６５６．２８ｎｍ）、一点鎖線がｇ線（波長λ＝４３５．８４ｎｍ）における球面収差を示す。非点収差を表す図では、縦軸は半画角、横軸にデフォーカスをとり、実線がｄ線に対するサジタル像面（ｄｓ）、破線がｄ線に対するメリジオナル像面（ｄｍ）を示す。歪曲収差を表す図では、縦軸は半画角、横軸に％をとり、歪曲収差を表す。これらの縦収差図に関する事項は、他の実施例で示す縦収差図においても同様であるため、以下では説明を省略する。
【実施例２】
【０１０８】
（１）ズームレンズの光学構成
図５は、本件発明に係る実施例２のズームレンズの広角端における無限遠合焦時のレンズ構成を示すレンズ断面図である。当該ズームレンズは、物体側から順に、全体で正の屈折力を有する前群と、レンズ群ＧＢとから構成される。
【０１０９】
前群は物体側から順に、正を有する屈折力の第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、負の屈折力を有する第６レンズ群Ｇ６とから構成される。第６レンズ群Ｇ６は、レンズ群ＧＦに相当する。レンズ群ＧＢは、負の屈折力を有する第７レンズ群Ｇ７から構成される。開口絞りＳは、第３レンズ群Ｇ３の物体側に第３レンズ群Ｇ３に隣接して配置される。
【０１１０】
以下、各レンズ群の構成を説明する。第１レンズ群Ｇ１は、物体側から順に、物体側に凸面を向けた負メニスカスレンズＬ１及び両凸レンズＬ２を接合した接合レンズと、物体側に凸面を向けた正メニスカスレンズＬ３とから構成される。
【０１１１】
第２レンズ群Ｇ２は、物体側から順に、物体側に凸面を向けた負メニスカスレンズＬ４と、両凹レンズＬ５及び両凸レンズＬ６を接合した接合レンズと、像側に凸面を向けた負メニスカスレンズＬ７とから構成される。負メニスカスレンズＬ４は、物体側面に、非球面形状に成型された複合樹脂膜が貼付された複合樹脂型非球面レンズである。
【０１１２】
第３レンズ群Ｇ３は、物体側から順に、両凸レンズＬ８と、両凸レンズＬ９と像側に凸面を向けた負メニスカスレンズＬ１０との接合レンズとから構成される。
【０１１３】
第４レンズ群Ｇ４は、両凹レンズＬ１１から構成される。両凹レンズＬ１１は、物体側面に、非球面形状に成型された複合樹脂膜が貼付された複合樹脂型非球面レンズである。
【０１１４】
第５レンズ群Ｇ５は、物体側から順に、両凸レンズＬ１２と、物体側に凸面を向けた負メニスカスレンズＬ１３及び両凸レンズＬ１４を接合した接合レンズとから構成される。両凸レンズＬ１２は、両面が非球面形状のガラスモールド型非球面レンズである。
【０１１５】
第６レンズ群Ｇ６は、物体側に凸面を向けた負メニスカスレンズＬ１５から構成される。負メニスカスレンズＬ１５は、両面が非球面形状のガラスモールド型非球面レンズである。
【０１１６】
第７レンズ群Ｇ７は、物体側から順に、両凸レンズＬ１６と、両凹レンズＬ１７と、像側に凸面を向けた負メニスカスレンズＬ１８とから構成される。ここで、両凸レンズＬ１６は正のレンズ成分Ｐに相当し、両凹レンズＬ１７は負のレンズ成分Ｎｆに相当し、負メニスカスレンズＬ１８は負のレンズ成分Ｎｂに相当する。
【０１１７】
広角端から望遠端へのズーミングに際し、第１レンズ群Ｇ１は物体側に移動し、第２レンズ群Ｇ２はまず像側に移動した後に物体側へ移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動し、第７レンズ群Ｇ７は物体側へ移動する。ズーミングに際し、第３レンズ群Ｇ３と第５レンズ群Ｇ５と第７レンズ群Ｇ７とは同一軌道で移動する。
【０１１８】
無限遠物体から近距離物体へのフォーカシングは、第４レンズ群Ｇ４を光軸に沿って物体側に移動させることで行う。
【０１１９】
（２）数値実施例
次に、当該ズームレンズの具体的数値を適用した数値実施例について説明する。表６に当該ズームレンズの面データを示す。表７に当該ズームレンズの緒元を示す。表８に無限遠合焦時及び近距離物体合焦時（撮影距離は左側から順に、広角端：５００ｍｍ、中間焦点距離位置：５００ｍｍ、望遠端：８００ｍｍ）における当該ズームレンズの光軸上の可変間隔を示す。表９に当該ズームレンズを構成する各レンズ群の焦点距離を示す。表１０に各非球面の非球面係数をそれぞれ示す。なお、表１０に表示していない非球面係数は０．００である。また、表４６に条件式（１）〜条件式（８）の値と、条件式（１）〜条件式（８）の計算に用いた各値を示す。
【０１２０】
さらに、図５〜図８に、当該実施例２のズームレンズの広角端、中間焦点距離位置、望遠端における無限遠合焦時の縦収差図をそれぞれ示す。
【０１２１】
［表６］
面番号        r         d          nd       νd
物体面        ∞       d(0)                      
1         149.3109    1.2000     1.85478    24.80
2          76.0948    7.1171     1.49700    81.61
3       -1072.3665    0.2000                     
4          66.0148    5.5600     1.59349    67.00
5         283.4193     d(5)                     
6*        131.1407    0.1500     1.51460    49.96
7         117.0450    1.1000     1.90366    31.31
8          22.8085    5.5879                     
9        -107.5361    0.8000     1.83481    42.72
10         24.0970    5.5879     1.84666    23.78
11        -64.4752    0.6867                     
12        -39.5818    0.9000     1.80420    46.50
13       -185.3667     d(13)                     
14S           ∞      1.2000                     
15         33.8846    3.2667     1.80000    29.84
16       -332.6257    0.2000                     
17       5000.0000    3.7611     1.57501    41.50
18        -24.4679    0.9000     1.83400    37.21
19        -43.8545     d(19)                     
20*       -22.9591    0.1500     1.51460    49.96
21        -26.0428    0.8000     1.87070    40.73
22         53.6491     d(22)                     
23*        28.6779    4.6565     1.69350    53.18
24*       -36.5598    0.2000                     
25         34.5392    0.8000     1.92119    23.96
26         19.3565    7.5164     1.49700    81.61
27        -48.5874     d(27)                     
28*        57.6247    0.9000     1.68893    31.16
29*        25.8168     d(29)                     
30         40.1744    9.5000     1.64769    33.79
31        -25.7354    0.2000                     
32        -28.7174    0.9000     1.87070    40.73
33        120.1990    5.7951                     
34        -16.0000    1.0000     1.72916    54.67
35        -26.9906     d(35)                     
36            ∞      2.5000     1.51680    64.20
37            ∞      1.0000                     
像面          ∞                                 
【０１２２】
［表７］
広角端      中間      望遠端
f         28.8088    74.9934   193.9843
FNo.       3.5613     4.4997     5.7497
ω        38.9265    15.4642     6.1181
Y         21.6330    21.6330    21.6330
【０１２３】
［表８］
広角端       中間       望遠端      広角端       中間       望遠端
d(0)          ∞          ∞          ∞      365.0001    336.8530    605.0002
d(5)        1.1522     30.8984     55.1293      1.1522     30.8984     55.1293
d(13)      22.1323      7.0681      1.6849     22.1323      7.0681      1.6849
d(19)       2.4416      3.6056      7.1001      1.4943      1.8713      4.1187
d(22)       5.3399      4.1757      0.6812      6.2872      5.9101      3.6627
d(27)       1.2932      4.9795      8.9510      1.2932      4.9795      8.9510
d(29)      12.8482      9.1620      5.1904     12.8482      9.1620      5.1904
d(35)      15.6570     29.1223     42.1273     15.6570     29.1223     42.1273
【０１２４】
［表９］
G1        118.8991
G2        -22.4091
G3         29.9675
G4        -18.9990
G5         18.6329
G6        -68.6819
G7        -97.2914
【０１２５】
［表１０］
面番号  k          A4            A6            A8           A10          A12
6    0.0000   8.87003E-07   2.06774E-09  -1.18068E-11   2.04323E-14  0.00000E+00
20   1.7375   4.27377E-05   5.59066E-08   5.40110E-10  -1.90435E-12  1.76795E-14
23   0.3977  -1.92166E-05  -8.94668E-09   5.51734E-10  -5.49188E-12  1.83133E-14
24   0.0000   9.06050E-06  -2.84346E-08   5.73029E-10  -4.90970E-12  1.56700E-14
28   0.0000  -2.00094E-05   1.97916E-07  -1.34790E-09   2.09962E-12  2.13721E-14
29   0.0000  -1.78331E-05   2.09037E-07  -1.29736E-09   5.07192E-13  3.57901E-14
【実施例３】
【０１２６】
（１）ズームレンズの光学構成
図９は、本件発明に係る実施例３のズームレンズの広角端における無限遠合焦時のレンズ構成を示すレンズ断面図である。当該ズームレンズは、物体側から順に、全体で正の屈折力を有する前群と、レンズ群ＧＢとからなる。
【０１２７】
前群は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、負の屈折力を有する第６レンズ群Ｇ６とから構成される。第６レンズ群Ｇ６は、レンズ群ＧＦに相当する。レンズ群ＧＢは、負の屈折力を有する第７レンズ群Ｇ７から構成される。開口絞りＳは、第３レンズ群Ｇ３の物体側に第３レンズ群Ｇ３に隣接して配置される。
【０１２８】
以下、各レンズ群の構成を説明する。第１レンズ群Ｇ１は、物体側から順に、物体側に凸面を向けた負メニスカスレンズＬ１及び両凸レンズＬ２を接合した接合レンズと、物体側に凸面を向けた正メニスカスレンズＬ３とから構成される。
【０１２９】
第２レンズ群Ｇ２は、物体側から順に、物体側に凸面を向けた負メニスカスレンズＬ４と、両凹レンズＬ５と、両凸レンズＬ６と、像側に凸面を向けた負メニスカスレンズＬ７とから構成される。負メニスカスレンズＬ４は、物体側面が非球面形状のガラスモールド型非球面レンズである。
【０１３０】
第３レンズ群Ｇ３は、物体側から順に、物体側に凸面を向けた正メニスカスレンズＬ８と、物体側に凸面を向けた正メニスカスレンズＬ９と、物体側に凸面を向けた負メニスカスレンズＬ１０及び両凸レンズＬ１１を接合した接合レンズとから構成される。正メニスカスレンズＬ８は、両面が非球面形状のガラスモールド型非球面レンズである。
【０１３１】
第４レンズ群Ｇ４は、物体側から順に、両凹レンズＬ１２と物体側に凸面を向けた正メニスカスレンズＬ１３とを接合した接合レンズから構成される。
【０１３２】
第５レンズ群Ｇ５は、物体側から順に、物体側に凸面を向けた負メニスカスレンズＬ１４及び物体側に凸面を向けた正メニスカスレンズＬ１５を接合した接合レンズと、両凸レンズＬ１６とから構成される。両凸レンズＬ１６は、両面が非球面形状のガラスモールド型非球面レンズである。
【０１３３】
第６レンズ群Ｇ６は、物体側に凸面を向けた負メニスカスレンズＬ１７から構成される。負メニスカスレンズＬ１７は、像側面が非球面形状のガラスモールド型非球面レンズである。
【０１３４】
第７レンズ群Ｇ７は、物体側から順に、両凸レンズＬ１８と、両凹レンズＬ１９と、像側に凸面を向けた負メニスカスレンズＬ２０とから構成される。ここで、両凸レンズＬ１８は正のレンズ成分Ｐに相当し、両凹レンズＬ１９は負のレンズ成分Ｎｆに相当し、負メニスカスレンズＬ２０は負のレンズ成分Ｎｂに相当する。
【０１３５】
広角端から望遠端へのズーミングに際し、第１レンズ群Ｇ１は物体側に移動し、第２レンズ群Ｇ２はまず像側に移動した後に物体側へ移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動し、第７レンズ群Ｇ７は物体側へ移動する。ズーミングに際し、第３レンズ群Ｇ３と第５レンズ群Ｇ５と第７レンズ群Ｇ７とは同一軌道で移動する。
【０１３６】
無限遠物体から近距離物体へのフォーカシングは、第６レンズ群Ｇ６を光軸に沿って像側に移動させることで行う。
【０１３７】
（２）数値実施例
次に、当該ズームレンズの具体的数値を適用した数値実施例について説明する。表１１に当該ズームレンズの面データを示す。表１２に当該ズームレンズの緒元を示す。表１３に無限遠合焦時及び近距離物体合焦時（撮影距離は左側から順に、広角端：３００ｍｍ、中間焦点距離位置：５００ｍｍ、望遠端：８００ｍｍ）における当該ズームレンズの光軸上の可変間隔を示す。表１４に当該ズームレンズを構成する各レンズ群の焦点距離を示す。表１５に各非球面の非球面係数をそれぞれ示す。なお、表１５に表示していない非球面係数は０．００である。また、表４６に条件式（１）〜条件式（８）の値と、条件式（１）〜条件式（８）の計算に用いた各値を示す。
【０１３８】
さらに、図１０〜図１２に、当該実施例３のズームレンズの広角端、中間焦点距離位置、望遠端における無限遠合焦時の縦収差図をそれぞれ示す。
【０１３９】
［表１１］
面番号        r         d          nd       νd
物体面        ∞       d(0)                      
1          72.7418    1.2000     1.85478    24.80
2          55.0925    7.1178     1.49700    81.61
3       -2576.0254    0.2000                     
4          67.9905    3.3979     1.59349    67.00
5         131.2902     d(5)                     
6*         81.8222    1.1000     1.87070    40.73
7          17.3549    7.3619                     
8         -46.9936    0.8000     1.87070    40.73
9          55.3112    0.1500                     
10         37.6438    6.1652     1.85478    24.80
11        -32.9640    0.9561                     
12        -26.2287    0.9000     1.83481    42.72
13       -101.7927     d(13)                     
14S           ∞      1.2000                     
15*        37.1604    2.7113     1.69350    53.18
16*       132.8507    0.2000                     
17         38.9190    3.0811     1.60311    60.69
18        682.8260    0.2000                     
19         42.5438    0.8000     1.80000    29.84
20         17.2829    5.3715     1.59282    68.62
21       -174.6671     d(21)                     
22        -85.1322    0.8000     1.78800    47.37
23         21.4134    2.9687     1.85478    24.80
24         58.4808     d(24)                     
25         51.7474    0.8000     1.90366    31.31
26         17.9175    2.8921     1.49700    81.61
27         43.1221    0.2000                     
28*        20.7365    5.6905     1.59201    67.02
29*       -28.6011     d(29)                     
30        190.9486    0.9000     1.59201    67.02
31*        20.2337     d(31)                     
32         36.8017    7.0403     1.60342    38.03
33        -31.9447    0.2000                     
34        -58.6191    0.9000     1.88300    40.80
35        340.8507    4.3067                     
36        -24.4531    1.0000     1.80420    46.50
37       -104.9522     d(37)                     
38            ∞      2.5000     1.51680    64.20
39            ∞      1.0000                     
像面          ∞                                 
【０１４０】
［表１２］
広角端      中間      望遠端
f         28.8003    75.0027   193.9288
FNo.       2.8982     4.5018     5.7528
ω        37.0367    15.3644     6.1210
Y         21.6330    21.6330    21.6330
【０１４１】
［表１３］
広角端       中間       望遠端      広角端       中間       望遠端
d(0)          ∞          ∞          ∞      165.0002    341.3593    610.0000
d(5)        0.8000     21.8724     50.6988      0.8000     21.8724     50.6988
d(13)      24.8447      9.6041      1.7762     24.8447      9.6041      1.7762
d(21)       1.4907      4.5549      7.0064      1.4907      4.5549      7.0064
d(24)       6.6157      3.5515      1.1000      6.6157      3.5515      1.1000
d(29)       4.6632      4.9482      1.3034      6.2596      7.5604      7.6792
d(31)       8.9747      8.6898     12.3345      7.3783      6.0775      5.9587
d(37)      13.4998     31.3089     41.6697     13.4998     31.3089     41.6697
【０１４２】
［表１４］
G1        103.1709
G2        -19.9223
G3         27.1565
G4        -47.7441
G5         31.2329
G6        -38.3038
G7       -298.9440
【０１４３】
［表１５］
面番号  k          A4            A6            A8           A10          A12
6    0.0000   1.11737E-06   7.19073E-10  -1.04952E-11   3.44628E-14  0.00000E+00
15   0.8177  -6.08206E-06   2.68573E-08   3.62072E-11  -1.38597E-13  5.64966E-15
16   0.0000  -1.55722E-06   3.17267E-08   1.05195E-10  -6.46114E-13  7.81993E-15
28  -0.4515  -1.96769E-05   3.02593E-09   1.65183E-10  -2.06130E-12  4.64386E-15
29  -1.4863   2.82074E-06  -4.69572E-08   1.82020E-10  -1.21460E-12 -4.72267E-16
31   0.0000  -9.57691E-06   7.26474E-09   2.57523E-10  -2.29565E-12  1.06894E-14
【実施例４】
【０１４４】
（１）ズームレンズの光学構成
図１３は、本件発明に係る実施例４のズームレンズの広角端における無限遠合焦時のレンズ構成を示すレンズ断面図である。当該ズームレンズは、物体側から順に、全体で正の屈折力を有する前群と、レンズ群ＧＢとからなる。
【０１４５】
前群は物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、負の屈折力を有する第６レンズ群Ｇ６とから構成される。第６レンズ群Ｇ６は、レンズ群ＧＦに相当する。レンズ群ＧＢは、負の屈折力を有する第７レンズ群Ｇ７から構成される。開口絞りＳは、第３レンズ群Ｇ３の物体側に第３レンズ群Ｇ３に隣接して配置される。
【０１４６】
以下、各レンズ群の構成を説明する。第１レンズ群Ｇ１は、物体側から順に、物体側に凸面を向けた負メニスカスレンズＬ１及び両凸レンズＬ２を接合した接合レンズと、両凸レンズＬ３とから構成される。
【０１４７】
第２レンズ群Ｇ２は、物体側から順に、物体側に凸面を向けた負メニスカスレンズＬ４と、両凹レンズＬ５と、両凸レンズＬ６及び像側に凸面を向けた負メニスカスレンズＬ７を接合した接合レンズとから構成される。負メニスカスレンズＬ４は、両面が非球面形状のガラスモールド型非球面レンズである。
【０１４８】
第３レンズ群Ｇ３は、物体側から順に、両凸レンズＬ８と、物体側に凸面を向けた正メニスカスレンズＬ９と、両凸レンズＬ１０及び両凹レンズＬ１１を接合した接合レンズとから構成される。
【０１４９】
第４レンズ群Ｇ４は、物体側から順に、両凹レンズＬ１２と物体側に凸面を向けた正メニスカスレンズＬ１３とを接合した接合レンズから構成される。両凹レンズＬ１２は、物体側面が非球面形状のガラスモールド型非球面レンズである。
【０１５０】
第５レンズ群Ｇ５は、物体側から順に、両凸レンズＬ１４と、物体側に凸面を向けた負メニスカスレンズＬ１５及び両凸レンズＬ１６を接合した接合レンズとから構成される。両凸レンズＬ１４は、両面が非球面形状のガラスモールド型非球面レンズである。
【０１５１】
第６レンズ群Ｇ６は、物体側から順に、両凸レンズＬ１７と両凹レンズＬ１８とを接合した接合レンズから構成される。両凹レンズＬ１８は、像側面が非球面形状のガラスモールド型非球面レンズである。
【０１５２】
第７レンズ群Ｇ７は、物体側から順に、両凹レンズＬ１９及び両凸レンズＬ２０を接合した接合レンズと、両凸レンズＬ２１と、像側に凸面を向けた負メニスカスレンズＬ２２と、像側に凸面を向けた負メニスカスレンズＬ２３とから構成される。両凹レンズＬ１９は、物体側面に、非球面形状に成型された複合樹脂膜が貼付された複合樹脂型非球面レンズである。ここで、両凸レンズＬ２１は正のレンズ成分Ｐに相当し、負メニスカスレンズＬ２２は負のレンズ成分Ｎｆに相当し、負メニスカスレンズＬ２３は負のレンズ成分Ｎｂに相当する。
【０１５３】
広角端から望遠端へのズーミングに際し、第１レンズ群Ｇ１は物体側に移動し、第２レンズ群Ｇ２はまず像側に移動した後に物体側へ移動し、第３レンズ群Ｇ３は物体側に移動し、第４レンズ群Ｇ４は物体側に移動し、第５レンズ群Ｇ５は物体側へ移動し、第６レンズ群Ｇ６は物体側へ移動し、第７レンズ群Ｇ７は物体側へ移動する。
【０１５４】
無限遠物体から近距離物体へのフォーカシングは、第６レンズ群Ｇ６を光軸に沿って像側に移動させることで行う。
【０１５５】
次に、当該ズームレンズの具体的数値を適用した数値実施例について説明する。表１６に当該ズームレンズの面データを示す。表１７に当該ズームレンズの緒元を示す。表１８に無限遠合焦時及び近距離物体合焦時（撮影距離は左側から順に、広角端：５００ｍｍ、中間焦点距離位置：７００ｍｍ、望遠端：１２００ｍｍ）における当該ズームレンズの光軸上の可変間隔を示す。表１９に当該ズームレンズを構成する各レンズ群の焦点距離を示す。表２０に各非球面の非球面係数をそれぞれ示す。なお、表２０に表示していない非球面係数は０．００である。また、表４６に条件式（１）〜条件式（８）の値と、条件式（１）〜条件式（８）の計算に用いた各値を示す。
【０１５６】
さらに、図１４〜図１６に、当該実施例４のズームレンズの広角端、中間焦点距離位置、望遠端における無限遠合焦時の縦収差図をそれぞれ示す。
【０１５７】
［表１６］
面番号        r         d          nd       νd
物体面        ∞       d(0)                      
1         192.6617    1.3000     1.87070    40.73
2          95.9244    7.4083     1.43700    95.10
3        -554.2655    0.2000                     
4          94.2764    6.5301     1.49700    81.61
5       -7370.9991     d(5)                     
6*        679.0773    1.3000     1.88202    37.22
7*         27.5984    6.8641                     
8         -73.8932    1.0000     1.88300    40.80
9          79.6776    0.1500                     
10         57.8945    7.0811     1.85478    24.80
11        -34.0424    1.0000     1.78590    44.20
12      -1463.4181     d(12)                     
13S           ∞      1.0000                     
14         45.4512    3.4975     1.64850    53.02
15      -4514.9247    0.2825                     
16         44.0199    3.4681     1.60342    38.03
17       1022.8033    0.2000                     
18         68.1589    3.3302     1.49700    81.61
19       -132.0158    1.0000     1.92286    20.88
20         99.2304     d(20)                     
21*       -71.0569    1.2000     1.77377    47.17
22         36.5603    2.6661     1.92119    23.96
23         92.3328     d(23)                     
24*        25.1199    4.9010     1.69350    53.18
25*       -98.8550    0.1500                     
26         98.6246    1.0000     1.91082    35.25
27         17.1392    6.6649     1.59282    68.62
28        -64.0599     d(28)                     
29        204.9516    2.8807     1.62004    36.26
30        -53.7779    1.0000     1.59201    67.02
31*        29.8860     d(31)                     
32*      -162.6004    0.2500     1.51460    49.96
33       -101.8172    1.0000     2.00100    29.13
34         20.1279    5.5899     1.59551    39.24
35       -486.2883    0.9292                     
36         40.1305    7.8732     1.76182    26.61
37        -36.3556    0.4110                     
38        -55.1244    1.0000     1.88300    40.80
39       -352.6208    3.1126                     
40        -32.6941    1.0000     1.69680    55.53
41       -459.9848     d(41)                     
42            ∞      2.5000     1.51680    64.20
43            ∞      1.0000                     
像面          ∞                                 
【０１５８】
［表１７］
広角端      中間      望遠端
f         28.8049   130.0083   387.8306
FNo.       3.6008     6.2008     6.4916
ω        38.5769     9.0404     3.0410
Y         21.6330    21.6330    21.6330
【０１５９】
［表１８］
広角端       中間       望遠端      広角端       中間       望遠端
d(0)          ∞          ∞          ∞      325.0000    480.3873    930.6798
d(5)        1.7332     50.3141    101.6060      1.7332     50.3141    101.6060
d(12)      46.5713     11.2573      1.8737     46.5713     11.2573      1.8737
d(20)       2.3437      3.9857      7.4130      2.3437      3.9857      7.4130
d(23)      10.3197      4.8164      1.2000     10.3197      4.8164      1.2000
d(28)       4.7875      8.3835      1.6036      5.8711     12.8913     14.9238
d(31)       5.0042      8.1145     16.2964      3.9206      3.6067      2.9762
d(41)      13.5000     42.0009     49.2670     13.5000     42.0009     49.2670
【０１６０】
［表１９］
G1        163.4646
G2        -27.1555
G3         42.5800
G4        -58.9198
G5         30.1155
G6        -62.0549
G7        -52.1550
【０１６１】
［表２０］
面番号  k         A4            A6            A8           A10           A12
6   0.0000  -6.33623E-07   5.25166E-09  -1.15628E-11   7.27254E-15   0.00000E+00
7   0.0000   2.74174E-07   1.99347E-09   2.62210E-11  -6.48205E-14   0.00000E+00
21  0.0000   2.01736E-06   1.91949E-09  -4.73234E-11   2.29474E-13  -2.05133E-16
24  0.0000  -7.39076E-06  -2.71133E-10   9.34250E-11  -4.95710E-13   2.17971E-15
25  0.0000   1.02751E-05  -7.03604E-09   4.20959E-11  -1.66847E-14   8.26127E-16
31  0.0000  -5.59575E-06   3.76510E-08  -5.94358E-10   3.17506E-12   0.00000E+00
32  0.0000  -8.92299E-06   4.32413E-08  -6.83984E-10   4.61131E-12  -1.71298E-15
【実施例５】
【０１６２】
（１）ズームレンズの光学構成
図１７は、本件発明に係る実施例５のズームレンズの広角端における無限遠合焦時のレンズ構成を示すレンズ断面図である。当該ズームレンズは、物体側から順に、全体で正の屈折力を有する前群と、レンズ群ＧＢとからなる。
【０１６３】
前群は物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４とから構成される。第４レンズ群Ｇ４は、レンズ群ＧＦに相当する。レンズ群ＧＢは、正の屈折力を有する第５レンズ群Ｇ５から構成される。開口絞りＳは、第３レンズ群Ｇ３の物体側に隣接して配置される。
【０１６４】
以下、各レンズ群の構成を説明する。第１レンズ群Ｇ１は、物体側から順に、物体側に凸面を向けた負メニスカスレンズＬ１及び両凸レンズＬ２を接合した接合レンズと、物体側に凸面を向けた正メニスカスレンズＬ３とから構成される。
【０１６５】
第２レンズ群Ｇ２は、物体側から順に、物体側に凸面を向けた負メニスカスレンズＬ４と、両凹レンズＬ５と、両凸レンズＬ６と、像側に凸面を向けた負メニスカスレンズＬ７とから構成される。負メニスカスレンズＬ４は、物体側面が非球面形状のガラスモールド型非球面レンズである。
【０１６６】
第３レンズ群Ｇ３は、物体側から順に、両凸レンズＬ８と、物体側に凸面を向けた負メニスカスレンズＬ９と、物体側に凸面を向けた負メニスカスレンズＬ１０及びと物体側に凸面を向けた正メニスカスレンズＬ１１を接合した接合レンズと、両凸レンズＬ１２とから構成される。両凸レンズＬ８は、両面が非球面形状のガラスモールド型非球面レンズである。
【０１６７】
第４レンズ群Ｇ４は、物体側に凸面を向けた負メニスカスレンズＬ１３から構成される。負メニスカスレンズＬ１３は、両面が非球面形状のガラスモールド型非球面レンズである。
【０１６８】
第５レンズ群Ｇ５は、物体側から順に、両凸レンズＬ１４と、両凹レンズＬ１５と、像側に凸面を向けた負メニスカスレンズＬ１６とから構成される。ここで、両凸レンズＬ１４は正のレンズ成分Ｐに相当し、両凹レンズＬ１５は負のレンズ成分Ｎｆに相当し、負メニスカスレンズＬ１６は負のレンズ成分Ｎｂに相当する。
【０１６９】
広角端から望遠端へのズーミングに際し、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は物体側へ移動する。ズーミングに際し、第３レンズ群Ｇ３と第５レンズ群Ｇ５とは同一軌道で移動する。
【０１７０】
無限遠物体から近距離物体へのフォーカシングは、第４レンズ群Ｇ４を光軸に沿って像側に移動させることで行う。
【０１７１】
（２）数値実施例
次に、当該ズームレンズの具体的数値を適用した数値実施例について説明する。表２１に当該ズームレンズの面データを示す。表２２に当該ズームレンズの緒元を示す。表２３に無限遠合焦時及び近距離物体合焦時（撮影距離＝５００ｍｍ）における当該ズームレンズの光軸上の可変間隔を示す。表２４に当該ズームレンズを構成する各レンズ群の焦点距離を示す。表２５に各非球面の非球面係数をそれぞれ示す。なお、表２５に表示していない非球面係数は０．００である。また、表４６に条件式（１）〜条件式（８）の値と、条件式（１）〜条件式（８）の計算に用いた各値を示す。
【０１７２】
さらに、図１７〜図２０に、当該実施例５のズームレンズの広角端、中間焦点距離位置、望遠端における無限遠合焦時の縦収差図をそれぞれ示す。
【０１７３】
［表２１］
面番号        r         d          nd       νd
物体面        ∞       d(0)                      
1         169.1758    1.3000     1.90525    35.04
2          81.6634    7.5716     1.49700    81.61
3       -1656.5789    0.2000                     
4          78.1124    6.4260     1.59282    68.62
5         725.1812     d(5)                     
6*        158.1127    1.4000     1.65100    56.24
7          24.2856    8.0217                     
8         -44.9153    0.9000     1.72916    54.67
9         123.6307    0.2000                     
10         57.0357    5.4113     1.80518    25.46
11        -83.8383    7.7671                     
12        -23.8514    1.0000     1.67003    47.23
13        -40.3623     d(13)                     
14S           ∞      1.2000                     
15*        23.4350    5.7748     1.59201    67.02
16*      -101.1571    4.0777                     
17         30.3652    1.4907     1.80400    46.53
18         21.7617    1.2402                     
19         36.5459    0.9000     1.95375    32.32
20         16.5447    4.3221     1.49700    81.61
21         70.3425    0.2000                     
22         28.6539    4.7173     1.59282    68.62
23        -47.3256     d(23)                     
24*       279.9474    0.8000     1.59201    67.02
25*        19.5293     d(25)                     
26         40.9857    7.7026     1.60562    43.71
27        -41.7923    1.7653                     
28        -76.2569    0.9000     1.58913    61.13
29         80.9264    5.8177                     
30        -26.7232    1.0000     1.74320    49.34
31        -59.2219     d(31)                     
32            ∞      2.5000     1.51680    64.20
33            ∞      1.0000                     
像面          ∞                                 
【０１７４】
［表２２］
広角端      中間      望遠端
f         36.0054    69.9898   145.5012
FNo.       2.9021     3.5240     4.1110
ω        31.7348    16.6038     8.1830
Y         21.6330    21.6330    21.6330
【０１７５】
［表２３］
広角端       中間       望遠端      広角端       中間       望遠端
d(0)          ∞          ∞          ∞      351.7464    334.4374    302.4795
d(5)        1.0000     25.6750     56.1506      1.0000     25.6750     56.1506
d(13)      27.5461     10.9512      1.3000     27.5461     10.9512      1.3000
d(23)       1.1228      2.6230      0.9999      2.0055      5.1121      8.2701
d(25)      17.7278     16.2280     17.8508     16.8452     13.7390     10.5806
d(31)      15.2508     24.4793     35.6132     15.2508     24.4793     35.6132
【０１７６】
［表２４］
G1        134.6072
G2        -28.3313
G3         26.0220
G4        -35.5023
G5        303.7356
【０１７７】
［表２５］
面番号  k          A4            A6            A8           A10          A12
6    0.0000   3.74943E-06   3.15104E-10   1.31029E-11  -3.81318E-14  7.24354E-17
15   0.2739  -7.80546E-06  -1.54896E-08   1.54159E-10  -1.13884E-12  2.75902E-15
16 -57.6238   7.25687E-06  -1.67175E-09   1.28764E-10  -1.00135E-12  2.74816E-15
24   0.0000  -3.92808E-06  -1.40084E-07   1.98829E-09  -1.24667E-11  3.06394E-14
25   0.0000  -1.20468E-05  -1.99489E-07   2.51719E-09  -1.74900E-11  4.70638E-14
【実施例６】
【０１７８】
（１）ズームレンズの光学構成
図２１は、本件発明に係る実施例６のズームレンズの広角端における無限遠合焦時のレンズ構成を示すレンズ断面図である。当該ズームレンズは、物体側から順に、全体で正の屈折力を有する前群と、レンズ群ＧＢとからなる。
【０１７９】
前群は物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４とから構成される。第４レンズ群Ｇ４は、レンズ群ＧＦに相当する。レンズ群ＧＢは、正の屈折力を有する第５レンズ群Ｇ５から構成される。開口絞りＳは、第３レンズ群Ｇ３の物体側に第３レンズ群Ｇ３に隣接して配置される。
【０１８０】
以下、各レンズ群の構成を説明する。第１レンズ群Ｇ１は、物体側から順に、物体側に凸面を向けた負メニスカスレンズＬ１及び物体側に凸面を向けた正メニスカスレンズＬ２が接合された接合レンズと、物体側に凸面を向けた正メニスカスレンズＬ３とから構成される。
【０１８１】
第２レンズ群Ｇ２は、物体側から順に、物体側に凸面を向けた負メニスカスレンズＬ４と、両凹レンズＬ５及び両凸レンズＬ６が接合された接合レンズと、像側に凸面を向けた負メニスカスレンズＬ７とから構成される。負メニスカスレンズＬ４は、物体側面が非球面形状のガラスモールド型非球面レンズであり、負メニスカスレンズＬ７は両面が非球面形状のガラスモールド型非球面レンズである。
【０１８２】
第３レンズ群Ｇ３は、物体側から順に、両凸レンズＬ８と、両凸レンズＬ９及び像側に凸面を向けた負メニスカスレンズＬ１０が接合された接合レンズと、物体側に凸面を向けた負メニスカスレンズＬ１１と、両凸レンズＬ１２とから構成される。両凸レンズＬ８及び負メニスカスレンズＬ１１は、それぞれ両面が非球面形状のガラスモールド型非球面レンズである。
【０１８３】
第４レンズ群Ｇ４は、物体側に凸面を向けた負メニスカスレンズＬ１３から構成される。負メニスカスレンズＬ１３は、両面が非球面形状のガラスモールド型非球面レンズである。
【０１８４】
第５レンズ群Ｇ５は、物体側から順に、両凸レンズＬ１４と、物体側に凸面を向けた負メニスカスレンズＬ１５と、像側に凸面を向けた負メニスカスレンズＬ１６とから構成される。ここで、両凸レンズＬ１４は正のレンズ成分Ｐに相当し、負メニスカスレンズＬ１５は負のレンズ成分Ｎｆに相当し、負メニスカスレンズＬ１６は負のレンズ成分Ｎｂに相当する。
【０１８５】
広角端から望遠端へのズーミングに際し、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は物体側へ移動する。ズーミングに際し、第３レンズ群Ｇ３と第５レンズ群Ｇ５は同一軌道で移動する。
【０１８６】
無限遠物体から近距離物体へのフォーカシングは、第４レンズ群Ｇ４を光軸に沿って像側に移動させることで行う。
【０１８７】
（２）数値実施例
次に、当該ズームレンズの具体的数値を適用した数値実施例について説明する。表２６に当該ズームレンズの面データを示す。表２７に当該ズームレンズの緒元を示す。表２８に無限遠合焦時及び近距離物体合焦時（撮影距離＝５００ｍｍ）における当該ズームレンズの光軸上の可変間隔を示す。表２９に当該ズームレンズを構成する各レンズ群の焦点距離を示す。表３０に各非球面の非球面係数をそれぞれ示す。なお、表３０に表示していない非球面係数は０．００である。また、表４６に条件式（１）〜条件式（８）の値と、条件式（１）〜条件式（８）の計算に用いた各値を示す。
【０１８８】
さらに、図２２〜図２４に、当該実施例６のズームレンズの広角端、中間焦点距離位置、望遠端における無限遠合焦時の縦収差図をそれぞれ示す。
【０１８９】
［表２６］
面番号        r         d          nd       νd
物体面        ∞       d(0)                      
1         313.5371    1.5000     1.84666    23.78
2          99.2888    6.4887     1.88300    40.80
3         697.1234    0.2000                     
4          67.8579    6.6276     1.61800    63.39
5         211.3308     d(5)                     
6*        185.5343    1.4000     1.80139    45.45
7          18.2676    9.6435                     
8         -99.2772    1.3000     1.69930    51.11
9          26.2105   10.0000     1.74950    35.28
10        -39.0628    1.3210                     
11*       -27.8901    1.5000     1.59201    67.02
12*       -50.9104     d(12)                     
13S           ∞      1.2000                     
14*        85.7451    2.3031     1.61881    63.85
15*      -776.7378    9.8288                     
16         54.2110    7.6790     1.59282    68.62
17        -25.5578    1.2000     1.85026    32.27
18        -33.1229    0.2000                     
19*       547.9488    1.5000     1.73077    40.51
20*        28.7932    0.2000                     
21         26.0335    7.8707     1.59282    68.62
22        -56.7976     d(22)                     
23*       129.0533    1.0000     1.86100    37.10
24*        24.5284     d(24)                     
25         43.1237    9.4497     1.56732    42.82
26        -35.6052    1.4436                     
27        783.3285    0.8000     1.59282    68.62
28         45.7837    7.3325                     
29        -22.7090    0.8000     1.89190    37.13
30        -36.7314     d(30)                     
31            ∞      2.5000     1.51680    64.20
32            ∞      1.0000                     
像面          ∞                                 
【０１９０】
［表２７］
広角端      中間      望遠端
f         24.7000    49.9999    68.0000
FNo.       2.9028     2.9012     2.8996
ω        42.2046    22.5497    16.8380
Y         21.3000    21.3000    21.3000
【０１９１】
［表２８］
広角端       中間       望遠端      広角端       中間       望遠端
d(0)          ∞          ∞          ∞      351.1478    343.8881    329.5515
d(5)        1.0000     17.5230     33.0236      1.0000     17.5230     33.0236
d(12)      30.4410      6.1788      1.3000     30.4410      6.1788      1.3000
d(22)       3.6953      1.8047      1.0000      4.3398      3.3246      3.3989
d(24)       6.9276      8.8182      9.6230      6.2832      7.2983      7.2241
d(30)      10.5001     25.4989     29.2137     10.5001     25.4989     29.2137
【０１９２】
［表２９］
G1        124.2814
G2        -33.4252
G3         27.5610
G4        -35.3300
G5        158.5084
【０１９３】
［表３０］
面番号  k         A4            A6            A8           A10           A12
6   0.0000   1.24988E-06  -1.66142E-09  -2.63683E-12   4.74801E-15  -2.52742E-18
11  0.0000   8.09226E-06  -2.11044E-08   1.56833E-10  -3.14472E-13   0.00000E+00
12  0.0000  -3.66948E-08  -3.27265E-08   1.51394E-10  -3.94734E-13   0.00000E+00
14  0.0000  -8.83574E-06  -3.75055E-09  -6.86500E-11  -7.24861E-14   3.21734E-16
15  0.0000  -9.08618E-07   7.26658E-09  -6.35024E-11  -1.07811E-13   7.11002E-16
19  0.0000  -8.06138E-06  -1.62754E-08   6.41258E-11  -1.18790E-13   7.65648E-17
20  0.0000   2.73643E-06  -1.38139E-08   2.15996E-11   8.28560E-14   0.00000E+00
23  0.0000  -1.90993E-06  -1.00835E-10  -7.87563E-12  -9.96550E-14   1.21343E-15
24  0.0000  -3.62666E-06  -1.03642E-08   1.32309E-10  -9.06930E-13   3.65180E-15
【実施例７】
【０１９４】
（１）ズームレンズの光学構成
図２５は、本件発明に係る実施例７のズームレンズの広角端における無限遠合焦時のレンズ構成を示すレンズ断面図である。当該ズームレンズは、物体側から順に、全体で正の屈折力を有する前群と、レンズ群ＧＢとからなる。
【０１９５】
前群は、物体側から順に、正の屈折力を有する第１レンズ群Ｇ１と、負の屈折力を有する第２レンズ群Ｇ２と、正の屈折力を有する第３レンズ群Ｇ３とから構成される。レンズ群ＧＢは正の屈折力を有する第４レンズ群Ｇ４で構成される。開口絞りＳは、第４レンズ群Ｇ４の物体側に第４レンズ群Ｇ４に隣接して配置される。
【０１９６】
以下、各レンズ群の構成を説明する。第１レンズ群Ｇ１は、物体側から順に、物体側に凸面を向けた正メニスカスレンズＬ１と、物体側に凸面を向けた負メニスカスレンズＬ２及び両凸レンズＬ３を接合した接合レンズとから構成される。
【０１９７】
第２レンズ群Ｇ２は、物体側から順に、両凹レンズＬ４と、両凹レンズＬ５及び物体側に凸面を向けた正メニスカスレンズＬ６を接合した接合レンズと、両凹レンズＬ７とから構成される。
【０１９８】
第３レンズ群Ｇ３は、物体側から順に、両凸レンズＬ８と、両凸レンズＬ９及び両凹レンズＬ１０を接合した接合レンズとから構成される。両凸レンズＬ８は、物体側面に、非球面形状に成型された複合樹脂膜が貼付された複合樹脂型非球面レンズである。
【０１９９】
第４レンズ群Ｇ４は、物体側から順に、両凸レンズＬ１１及び両凹レンズＬ１２が接合された接合レンズと、両凸レンズＬ１３と、両凸レンズＬ１４、両凹レンズＬ１５及び両凸レンズＬ１６の３枚のレンズが接合された３枚接合レンズと、両凹レンズＬ１７と、像側に凸面を向けた負メニスカスレンズＬ１８とから構成される。両凸レンズＬ１４は、物体側面に、非球面形状に成型された複合樹脂膜が貼付された複合樹脂型非球面レンズである。ここで、上記３枚接合レンズを構成する両凸レンズＬ１４、両凹レンズＬ１５及び両凸レンズＬ１６は正のレンズ成分Ｐに相当し、両凹レンズＬ１７は負のレンズ成分Ｎｆに相当し、負メニスカスレンズＬ１８は負のレンズ成分Ｎｂに相当する。
【０２００】
広角端から望遠端へのズーミングに際し、第１レンズ群Ｇ１は物体側に移動し、第２レンズ群Ｇ２は物体側に移動し、第３レンズ群Ｇ３は物体側に移動し、第４レンズ群Ｇ４は物体側に移動する。
【０２０１】
無限遠物体から近距離物体へのフォーカシングは、第２レンズ群Ｇ２を光軸方向に物体側に移動させることで行う。
【０２０２】
（２）数値実施例
次に、当該ズームレンズの具体的数値を適用した数値実施例について説明する。表３１に当該ズームレンズの面データを示す。表３２に当該ズームレンズの緒元を示す。表３３に無限遠合焦時及び近距離物体合焦時（撮影距離＝１５００ｍｍ）における当該ズームレンズの光軸上の可変間隔を示す。表３４に当該ズームレンズを構成する各レンズ群の焦点距離を示す。表３５に各非球面の非球面係数をそれぞれ示す。なお、表３５に表示していない非球面係数は０．００である。また、表４６に条件式（１）〜条件式（８）の値と、条件式（１）〜条件式（８）の計算に用いた各値を示す。
【０２０３】
さらに、図２６〜図２８に、当該実施例７のズームレンズの広角端、中間焦点距離位置、望遠端における無限遠合焦時の縦収差図をそれぞれ示す。
【０２０４】
［表３１］
面番号        r         d          nd       νd
物体面        ∞       d(0)                      
1          99.4643    4.7013     1.48749    70.24
2        1272.3853    0.2000                     
3         112.1625    1.2000     1.70154    41.24
4          55.6158    7.7447     1.43875    94.94
5        -539.4425     d(5)                     
6        -247.1969    1.2000     1.74320    49.34
7         158.9413    1.2000                     
8        -175.1592    0.8000     1.78590    44.20
9          33.2292    3.3929     1.92286    20.88
10         93.2050    2.9489                     
11        -47.1415    1.0000     1.48749    70.24
12        932.8063     d(12)                     
13*        52.7618    0.2500     1.51460    49.96
14         56.0006    4.4355     1.88300    40.80
15       -143.9670    0.6191                     
16         64.0723    7.0000     1.51633    64.14
17        -42.9797    1.0000     1.91082    35.25
18        177.8962     d(18)                     
19S           ∞      1.0000                     
20         34.9841    6.0000     1.48749    70.24
21       -205.0838    1.2000     1.92119    23.96
22         48.8700    0.2000                     
23         30.6099    5.8000     1.51633    64.14
24       -300.7770   13.4699                     
25*        35.2632    0.2000     1.51460    49.96
26         35.4682    5.7000     1.73800    32.33
27        -20.2725    1.2000     1.83481    42.74
28         28.1903    4.2000     1.67270    32.10
29        -81.7124    1.5384                     
30        -91.7124    1.0000     1.85150    40.78
31         53.6030    6.8506                     
32        -17.4556    1.0000     1.59522    67.73
33        -31.2111     d(33)                     
34            ∞      2.5000     1.51633    64.14
35            ∞      1.0000                     
像面          ∞                                 
【０２０５】
［表３２］
広角端      中間      望遠端
f         72.1000   149.9999   291.4997
FNo.       4.5999     5.0003     6.4501
ω        16.3124     7.9390     4.1494
Y         21.6330    21.6330    21.6330
【０２０６】
［表３３］
広角端       中間       望遠端      広角端       中間       望遠端
d(0)          ∞          ∞          ∞     1340.1438   1316.0004   1284.1438
d(5)       16.5814     35.3224     49.8583     14.1608     31.0032     42.4340
d(12)      23.3990     10.9912      1.5000     25.8196     15.3104      8.9243
d(18)       8.8244      4.5645      2.6913      8.8244      4.5645      2.6913
d(33)      20.5000     42.5702     71.2553     20.5000     42.5702     71.2553
【０２０７】
［表３４］
G1        146.3826
G2        -33.2874
G3         54.5437
G4        205.2293
【０２０８】
［表３５］
面番号  k          A4            A6            A8           A10          A12
13   0.0000  -2.39090E-07   9.32745E-10   9.70513E-13   4.73081E-17  0.00000E+00
25   0.0000  -8.30793E-06  -1.62953E-09  -7.69283E-11   5.06491E-13  0.00000E+00
【実施例８】
【０２０９】
（１）ズームレンズの光学構成
図２９は、本件発明に係る実施例８のズームレンズの広角端における無限遠合焦時のレンズ構成を示すレンズ断面図である。当該ズームレンズは、物体側から順に、全体で正の屈折力を有する前群と、レンズ群ＧＢとからなる。
【０２１０】
前群は、物体側から順に、負の屈折力を有する第１レンズ群Ｇ１と、正の屈折力を有する第２レンズ群Ｇ２と、正の屈折力を有する第３レンズ群Ｇ３と、負の屈折力を有する第４レンズ群Ｇ４とから構成される。第４レンズ群Ｇ４は、レンズ群ＧＦに相当する。レンズ群ＧＢは、正の屈折力を有する第５レンズ群Ｇ５から構成される。開口絞りＳは、第３レンズ群Ｇ３の物体側に第３レンズ群Ｇ３に隣接して配置される。
【０２１１】
以下、各レンズ群の構成を説明する。第１レンズ群Ｇ１は、物体側から順に、物体側に凸面を向けた負メニスカスレンズＬ１と、物体側に凸面を向けた負メニスカスレンズＬ２と、両凹レンズＬ３と、両凸レンズＬ４とから構成される。負メニスカスレンズＬ２は、両面が非球面形状のガラスモールド型非球面レンズである。
【０２１２】
第２レンズ群Ｇ２は、物体側から順に、物体側に凸面を向けた正メニスカスレンズＬ５と、物体側に凸面を向けた負メニスカスレンズＬ６と、両凸レンズＬ７とから構成される。
【０２１３】
第３レンズ群Ｇ３は、物体側から順に、両凸レンズＬ８と、像側に凸面を向けた負メニスカスレンズＬ９とを接合した接合レンズから構成される。
【０２１４】
第４レンズ群Ｇ４は、物体側から順に、両凹レンズＬ１０と、両凹レンズＬ１１と、両凸レンズＬ１２とから構成される。
【０２１５】
第５レンズ群Ｇ５は、物体側から順に、物体側に凸面を向けた正メニスカスレンズＬ１３と、両凸レンズＬ１４及び像側に凸面を向けた負メニスカスレンズＬ１５を接合した接合レンズと、両凹レンズＬ１６と、像側に凸面を向けた負メニスカスレンズＬ１７とから構成される。負メニスカスレンズＬ１７は、両面が非球面形状のガラスモールド型非球面レンズである。ここで、上記接合レンズを構成する両凸レンズＬ１４及び負メニスカスレンズＬ１５は正のレンズ成分Ｐに相当し、両凹レンズＬ１６は負のレンズ成分Ｎｆに相当し、負メニスカスレンズＬ１７は負のレンズ成分Ｎｂに相当する。
【０２１６】
広角端から望遠端へのズーミングに際し、第１レンズ群Ｇ１は像側に移動し、第２レンズ群Ｇ２は物体側に移動し、第３レンズ群Ｇ３は物体側に移動し、第４レンズ群Ｇ４は物体側に移動し、第５レンズ群Ｇ５は物体側へ移動する。
【０２１７】
無限遠物体から近距離物体へのフォーカシングは、第２レンズ群Ｇ２を光軸に沿って像側に移動させることで行う。
【０２１８】
（２）数値実施例
次に、当該ズームレンズの具体的数値を適用した数値実施例について説明する。表３６に当該ズームレンズの面データを示す。表３７に当該ズームレンズの緒元を示す。表３８に無限遠合焦時及び近距離物体合焦時（撮影距離＝３００ｍｍ）における当該ズームレンズの光軸上の可変間隔を示す。表３９に当該ズームレンズを構成する各レンズ群の焦点距離を示す。表４０に各非球面の非球面係数をそれぞれ示す。なお、表４０に表示していない非球面係数は０．００である。また、表４６に条件式（１）〜条件式（８）の値と、条件式（１）〜条件式（８）の計算に用いた各値を示す。
【０２１９】
さらに、図３０〜図３２に、当該実施例８のズームレンズの広角端、中間焦点距離位置、望遠端における無限遠合焦時の縦収差図をそれぞれ示す。
【０２２０】
［表３６］
面番号        r         d          nd       νd
物体面        ∞       d(0)                      
1          86.9829    2.3000     1.77250    49.60
2          22.3416    4.0024                     
3*         29.1082    2.0000     1.69350    53.18
4*         15.6610   12.2112                     
5         -50.5156    1.3000     1.49700    81.61
6         112.7091    0.2000                     
7          52.1044    4.5487     1.76182    26.52
8        -371.5056     d(8)                     
9          32.7086    3.6291     1.73800    32.33
10        242.9848    5.3128                     
11         74.2703    0.8000     1.92119    23.96
12         24.6959    0.9264                     
13         34.0409    3.7862     1.58913    61.13
14       -240.0248     d(14)                     
15S           ∞      1.0000                     
16         26.4280    7.7996     1.59282    68.62
17        -27.5101    1.2000     1.92119    23.96
18        -49.7205     d(18)                     
19        -78.5563    0.8000     1.89190    37.13
20         52.7476    2.4109                     
21        -45.3680    0.8000     1.88300    40.80
22         82.7990    0.1500                     
23         44.1109    3.5532     1.92286    20.88
24        -89.1785     d(24)                     
25         34.6234    3.1363     1.53775    74.70
26        686.7857    0.1500                     
27         31.1108    7.6001     1.49700    81.61
28        -17.9379    1.0000     1.90525    35.04
29        -25.7995    0.1500                     
30      -2576.4922    1.2000     1.77250    49.60
31         37.3239    3.5741                     
32*       -72.6304    2.0000     1.88202    37.22
33*      -699.0489     d(33)                     
34            ∞      2.5000     1.51680    64.20
35            ∞      1.0000                     
像面          ∞                                 
【０２２１】
［表３７］
広角端      中間      望遠端
f         17.5000    21.0000    34.0000
FNo.       2.9001     2.8999     2.9000
ω        51.9992    45.7539    31.8248
Y         21.6330    21.6330    21.6330
【０２２２】
［表３８］
広角端       中間       望遠端      広角端       中間       望遠端
d(0)          ∞          ∞          ∞      160.0000    160.5000    169.0353
d(8)       25.0787     15.9198      1.5000     28.0132     18.8906      4.6344
d(14)       6.8158     12.6052      4.6344      3.8814      9.6344      1.5000
d(18)       1.5000      2.3549      4.1434      1.5000      2.3549      4.1434
d(24)       6.4555      3.9935      1.3000      6.4555      3.9935      1.3000
d(33)      19.1092     23.5857     38.3460     19.1092     23.5857     38.3460
【０２２３】
［表３９］
G1        -23.6162
G2         64.6409
G3         35.5085
G4        -38.9440
G5         61.5671
【０２２４】
［表４０］
面番号  k         A4            A6            A8           A10           A12
3  -2.1933   2.53384E-05  -1.07903E-07   2.91024E-10  -3.92272E-13   2.05544E-16
4  -0.4294   8.66936E-06  -1.46839E-07   1.24836E-10   4.06332E-13  -1.55239E-15
32  0.0000  -1.45788E-04   4.68549E-07   4.22206E-10  -8.24313E-13  -6.36887E-15
33  0.0000  -1.01420E-04   6.19196E-07  -3.68610E-10  -1.05117E-12  -1.77846E-16
【実施例９】
【０２２５】
（１）ズームレンズの光学構成
図３３は、本件発明に係る実施例９のズームレンズの広角端における無限遠合焦時のレンズ構成を示すレンズ断面図である。当該ズームレンズは、物体側から順に、全体で正の屈折力を有する前群と、レンズ群ＧＢとからなる。
【０２２６】
前群は、物体側から順に、負の屈折力を有する第１レンズ群Ｇ１と、正の屈折力を有する第２レンズ群Ｇ２と、負の屈折力を有する第３レンズ群Ｇ３とから構成される。第３レンズ群Ｇ３は、レンズ群ＧＦに相当する。レンズ群ＧＢは、負の屈折力を有する第４レンズ群Ｇ４から構成される。開口絞りＳは、第２レンズ群Ｇ２内に配置される。
【０２２７】
以下、各レンズ群の構成を説明する。第１レンズ群Ｇ１は、物体側から順に、物体側に凸面を向けた負メニスカスレンズＬ１と、物体側に凸面を向けた負メニスカスレンズＬ２と、両凹レンズＬ３と、両凸レンズＬ４とから構成される。負メニスカスレンズＬ２は、両面が非球面形状のガラスモールド型非球面レンズである。
【０２２８】
第２レンズ群Ｇ２は、物体側から順に、物体側に凸面を向けた負メニスカスレンズＬ５及び両凸レンズＬ６を接合した接合レンズと、両凸レンズＬ７と、物体側に凸面を向けた負メニスカスレンズＬ８及び両凸レンズＬ９を接合した接合レンズとから構成される。負メニスカスレンズＬ５は、物体側面が非球面形状のガラスモールド型非球面レンズである。
【０２２９】
第３レンズ群Ｇ３は、物体側に凸面を向けた負メニスカスレンズＬ１０で構成される。
【０２３０】
第４レンズ群Ｇ４は、物体側から順に、両凸レンズＬ１１と、両凹レンズＬ１２と、像側に凸面を向けた負メニスカスレンズＬ１３とから構成される。負メニスカスレンズＬ１３は、両面が非球面形状のガラスモールド型非球面レンズである。ここで、両凸レンズＬ１１は正のレンズ成分Ｐに相当し、両凹レンズＬ１２は負のレンズ成分Ｎｆに相当し、負メニスカスレンズＬ１３は負のレンズ成分Ｎｂに相当する。
【０２３１】
広角端から望遠端へのズーミングに際し、第１レンズ群Ｇ１は像側に移動し、第２レンズ群Ｇ２は物体側に移動し、第３レンズ群Ｇ３は物体側に移動し、第４レンズ群Ｇ４は物体側に移動へ移動する。
【０２３２】
無限遠物体から近距離物体へのフォーカシングは、第３レンズ群Ｇ３を光軸に沿って像側に移動させることで行う。
【０２３３】
（２）数値実施例
次に、当該ズームレンズの具体的数値を適用した数値実施例について説明する。表４１に当該ズームレンズの面データを示す。表４２に当該ズームレンズの緒元を示す。表４３に無限遠合焦時及び近距離物体合焦時（撮影距離＝２８０ｍｍ）における当該ズームレンズの光軸上の可変間隔を示す。表４４に当該ズームレンズを構成する各レンズ群の焦点距離を示す。表４５に各非球面の非球面係数をそれぞれ示す。なお、表４５に表示していない非球面係数は０．００である。また、表４６に条件式（１）〜条件式（８）の値と、条件式（１）〜条件式（８）の計算に用いた各値を示す。
【０２３４】
さらに、図３４〜図３６に、当該実施例９のズームレンズの広角端、中間焦点距離位置、望遠端における無限遠合焦時の縦収差図をそれぞれ示す。
【０２３５】
［表４１］
面番号        r         d          nd       νd
物体面        ∞       d(0)                      
1          60.0000    1.8000     1.72916    54.67
2          17.6846    3.4244                     
3*         32.7014    1.7000     1.69350    53.18
4*         16.4714    9.7187                     
5         -39.4214    1.0000     1.49700    81.61
6          70.1772    0.1500                     
7          35.7604    5.4096     1.62004    36.26
8         -72.8884     d(8)                     
9*         40.9225    0.8000     1.86100    37.10
10         17.9883    4.3722     1.61772    49.81
11       -123.5638    7.9809                     
12S           ∞      1.0000                     
13         24.8970    4.7951     1.53775    74.70
14        -64.3209    0.1500                     
15         23.9008    0.8000     1.88300    40.80
16         11.4921    6.8076     1.49700    81.61
17        -40.4592     d(17)                     
18        351.1231    0.7000     1.48749    70.24
19         15.9630     d(19)                     
20         32.6679    5.8277     1.51823    58.90
21        -16.2745    0.1500                     
22        -21.5991    0.8000     1.73400    51.47
23        157.9588    2.8368                     
24*       -56.5696    1.3000     1.88202    37.22
25*      -223.9375     d(25)                     
26            ∞      2.5000     1.51680    64.20
27            ∞      1.0000                     
【０２３６】
［表４２］
広角端      中間      望遠端
f         17.5000    22.0000    27.5000
FNo.       2.9001     2.9001     2.9001
ω        52.4786    44.6024    37.5020
Y         21.6330    21.6330    21.6330
【０２３７】
［表４３］
広角端       中間       望遠端      広角端       中間       望遠端
d(0)          ∞          ∞          ∞      177.1524    181.7800    184.3366
d(8)       16.9527      8.2625      1.2000     16.9527      8.2625      1.2000
d(17)       1.5000      1.9253      2.5717      2.0988      2.7204      3.6301
d(19)       5.7254      6.1609      6.1329      5.1266      5.3658      5.0744
d(25)      13.6467     16.8485     20.7360     13.6467     16.8485     20.7360
【０２３８】
［表４４］
G1        -25.7028
G2         21.0442
G3        -34.3283
G4      -1498.9817
【０２３９】
［表４５］
面番号  k         A4            A6            A8           A10           A12
3   2.3554   5.63471E-05  -3.26682E-07   1.00072E-09  -1.17701E-12  -1.88438E-15
4   0.1008   5.42937E-05  -3.06529E-07  -3.63644E-10   8.32643E-12  -3.46288E-14
9   0.0000  -9.28259E-06  -1.77863E-08   1.08966E-10  -3.75312E-13   0.00000E+00
24  0.0000  -2.38929E-04   1.22551E-06  -8.20489E-09   4.12193E-11  -1.28092E-13
25  0.0000  -1.94636E-04   1.35828E-06  -7.50619E-09   3.21968E-11  -6.85586E-14
【０２４０】
［表４６］
実施例1  実施例2  実施例3  実施例4  実施例5
条件式(1)(RNf+RNb)/(RNf-RNb)     0.311    0.765    0.866    1.204    0.504
条件式(2)βFBt/βFBw             1.568    1.370    1.589    1.852    1.288
条件式(3)BFw/Y                   0.786    0.886    0.786    0.786    0.867
条件式(4)fP/Y                    1.436    1.187    1.363    1.211    1.637
条件式(5)|fN|/Y                  0.973    0.782    1.032    1.349    1.473
条件式(6)RP/fw                   1.271    1.395    1.278    1.393    1.138
条件式(7)fNf/fNb                 0.846    0.474    1.419    1.466    1.002
条件式(8)νP                    32.09    33.79    38.02    26.60    43.70
RNf                    40.075  120.199  340.851 -352.621   80.926
RNb                   -21.055  -16.000  -24.453  -32.694  -26.723
βFBt                   3.061    2.478    2.991    3.817    2.689
βFBw                   1.952    1.808    1.883    2.061    2.088
BFw                    17.000   19.157   17.000   17.000   18.751
Y                      21.633   21.633   21.633   21.633   21.633
fP                     31.062   25.674   29.476   26.205   35.410
fN                    -21.045  -16.926  -22.335  -29.190  -31.874
RP                     36.602   40.174   36.802   40.131   40.986
fNf                   -41.530  -26.547  -56.585  -74.113  -66.501
fNb                   -49.078  -56.038  -39.864  -50.559  -66.395
【０２４１】
［表４７］
実施例6  実施例7  実施例8  実施例9
条件式(1)(RNf+RNb)/(RNf-RNb)     0.337    0.509   -0.321    0.473
条件式(2)βFBt/βFBw             1.320      -      1.110    1.134
条件式(3)BFw/Y                   0.657    1.109    1.045    0.793
条件式(4)fP/Y                    1.687    2.500    1.687    1.010
条件式(5)|fN|/Y                  1.680    1.096    1.415    0.895
条件式(6)RP/fw                   1.746    0.489    1.778    1.867
条件式(7)fNf/fNb                 1.197    0.579    0.517    0.300
条件式(8)νP                    42.80    32.10    81.61    58.90
RNf                    45.784   53.603   37.324  157.959
RNb                   -22.709  -17.456  -72.630  -56.570
βFBt                   2.227      -      1.577    2.077
βFBw                   1.687      -      1.421    1.832
BFw                    14.000   24.000   22.609   17.147
Y                      21.300   21.633   21.633   21.633
fP                     35.938   54.083   36.503   21.850
fN                    -35.778  -23.713  -30.622  -19.356
RP                     43.124   35.263   31.111   32.668
fNf                   -82.057  -39.605  -47.616  -25.838
fNb                   -68.539  -68.397  -92.031  -86.128
【産業上の利用可能性】
【０２４２】
本件発明によれば、フランジバックの短いデジタルスチルカメラ等に好適で、全体的に小型で、最終レンズ群の径小化が容易であり、且つ高性能なズームレンズ及び当該ズームレンズを有する撮像装置を提供することができる。
【符号の説明】
【０２４３】
Ｇ１・・・第１レンズ群
Ｇ２・・・第２レンズ群
Ｇ３・・・第３レンズ群
Ｇ４・・・第４レンズ群
Ｇ５・・・第５レンズ群
Ｇ６・・・第６レンズ群
Ｇ７・・・第７レンズ群
ＧＦ・・・レンズ群ＧＦ
ＧＢ・・・レンズ群ＧＢ
Ｓ・・・開口絞り
ＩＰ・・・像面
ＣＧ・・・カバーガラス
ＦＮｏ．・・・Ｆナンバー
ω・・・半画角
【図１】
2020134684.tif 000003
【図２】
2020134684.tif 000004
【図３】
2020134684.tif 000005
【図４】
2020134684.tif 000006
【図５】
2020134684.tif 000007
【図６】
2020134684.tif 000008
【図７】
2020134684.tif 000009
【図８】
2020134684.tif 000010
【図９】
2020134684.tif 000011
【図１０】
2020134684.tif 000012
【図１１】
2020134684.tif 000013
【図１２】
2020134684.tif 000014
【図１３】
2020134684.tif 000015
【図１４】
2020134684.tif 000016
【図１５】
2020134684.tif 000017
【図１６】
2020134684.tif 000018
【図１７】
2020134684.tif 000019
【図１８】
2020134684.tif 000020
【図１９】
2020134684.tif 000021
【図２０】
2020134684.tif 000022
【図２１】
2020134684.tif 000023
【図２２】
2020134684.tif 000024
【図２３】
2020134684.tif 000025
【図２４】
2020134684.tif 000026
【図２５】
2020134684.tif 000027
【図２６】
2020134684.tif 000028
【図２７】
2020134684.tif 000029
【図２８】
2020134684.tif 000030
【図２９】
2020134684.tif 000031
【図３０】
2020134684.tif 000032
【図３１】
2020134684.tif 000033
【図３２】
2020134684.tif 000034
【図３３】
2020134684.tif 000035
【図３４】
2020134684.tif 000036
【図３５】
2020134684.tif 000037
【図３６】
2020134684.tif 000038